(57)【要約】【課題】特定の者に簡易に画像データを渡すことを可能にする。【解決手段】デジタルカメラと情報端末装置を含む情報システムであって、デジタルカメラは、被写体を撮像して画像データを得る撮像部と、その撮像部により得られた画像データを含む信号を無線送信する送信部とを有し、情報端末装置は、転送先情報が記憶される使用者情報記憶部と、特定方向から無線送信された信号を受信する指向性を有した受信部と、その受信部により受信された信号に含まれる画像データを、使用者情報記憶手段に記憶されている転送先情報に係る転送先宛に送信する送信部とを有する。【選択図】図１
2006101355.tif 000002
【特許請求の範囲】
【請求項１】
転送先情報が記憶される使用者情報記憶手段と、
特定方向から無線送信された信号を受信する指向性を有した受信手段と、
該受信手段により受信された信号に含まれる画像データを、前記使用者情報記憶手段に記憶されている転送先情報に係る転送先宛に送信する送信手段と、
を有することを特徴とする情報端末装置。
【請求項２】
転送先情報が記憶される使用者情報記憶手段と、
当該情報端末装置宛に無線送信された信号を受信する受信手段と、
該受信手段により受信された信号に含まれる画像データを、前記使用者情報記憶手段に記憶されている転送先情報に係る転送先宛に送信する送信手段と、
を有することを特徴とする情報端末装置。
【請求項３】
特定方向から無線送信された信号を受信する指向性を有した受信手段と、
該受信手段により受信された信号に含まれる画像データが記憶される画像データ記憶手段と、
を有し、
前記画像データ記憶手段に記憶されている画像データが有線により外部へ送信される、
ことを特徴とする情報端末装置。
【請求項４】
前記受信手段により受信された信号に含まれる画像データが記憶される画像データ記憶手段、
を更に有し、
前記送信手段は、前記画像データ記憶手段に記憶された画像データを、前記使用者情報記憶手段に記憶されている転送先情報に係る転送先宛に送信する、
ことを特徴とする請求項１又は２記載の情報端末装置。
【請求項５】
前記画像データ記憶手段に記憶された画像データに対する印刷設定に係る印刷情報を設定する印刷情報設定手段、
を更に有し、
前記使用者情報記憶手段には、更に個人情報が記憶され、
前記送信手段は、前記画像データ記憶手段に記憶された画像データ、該画像データに対し前記印刷情報設定手段により設定された印刷情報、及び前記使用者情報記憶手段に記憶されている個人情報を、前記使用者情報記憶手段に記憶されている転送先情報に係る転送先宛に送信する、
ことを特徴とする請求項４記載の情報端末装置。
【請求項６】
前記個人情報は、
少なくとも、氏名情報、住所情報、及び決済情報の何れか一つ又は複数を含む、
ことを特徴とする請求項５記載の情報端末装置。
【請求項７】
転送先情報、又は該転送先情報及び個人情報を入力する入力手段、
を更に有し、
前記使用者情報記憶手段には、前記入力手段により入力された転送先情報、又は該転送先情報及び個人情報が記憶される、
ことを特徴とする請求項１、２、及び５の何れか一項記載の情報端末装置。
【請求項８】
装置を特定する装置情報が記憶される装置情報記憶手段、
を更に有し、
前記受信手段により受信された信号に含まれる当該信号の送信元を示す装置情報が、前記装置情報記憶手段に記憶されている装置情報の中に含まれていなかった場合には、前記信号の受信を許可し、
前記受信手段により受信された信号に含まれる当該信号の送信元を示す装置情報が、前記装置情報記憶手段に記憶されている装置情報の中に含まれていた場合には、前記信号の受信を拒否する、
ことを特徴とする請求項１乃至３の何れか一項記載の情報端末装置。
【請求項９】
装置を特定する装置情報が記憶される装置情報記憶手段、
を更に有し、
前記受信手段により受信された信号に含まれる当該信号の送信元を示す装置情報が、前記装置情報記憶手段に記憶されている装置情報の中に含まれていた場合には、前記信号の受信を許可し、
前記受信手段により受信された信号に含まれる当該信号の送信元を示す装置情報が、前記装置情報記憶手段に記憶されている装置情報の中に含まれていなかった場合には、前記信号の受信を拒否する、
ことを特徴とする請求項１乃至３の何れか一項記載の情報端末装置。
【請求項１０】
前記受信手段は、
赤外線、電磁波、又は超音波の何れか一つによる信号を受信する、
ことを特徴とする請求項１乃至３の何れか一項記載の情報端末装置。
【請求項１１】
撮像装置及び情報端末装置を含む情報システムであって、
前記撮像装置は、
被写体を撮像して画像データを得る撮像手段と、
該撮像手段により得られた画像データを含む信号を無線送信する送信手段と、
を有し、
前記情報端末装置は、
転送先情報が記憶される使用者情報記憶手段と、
特定方向から無線送信された信号を受信する指向性を有した受信手段と、
該受信手段により受信された信号に含まれる画像データを、前記使用者情報記憶手段に記憶されている転送先情報に係る転送先宛に送信する送信手段と、
を有する、
ことを特徴とする情報システム。
【請求項１２】
撮像装置及び情報端末装置を含む情報システムであって、
前記撮像装置は、
被写体を撮像して画像データを得る撮像手段と、
送信先に係る送信先情報が記憶される送信先情報記憶手段と、
前記撮像手段により得られた画像データを含む信号を、前記送信先情報記憶手段に記憶されている送信先情報に係る送信先宛に無線送信する送信手段と、
を有し、
前記情報端末装置は、
転送先情報が記憶される使用者情報記憶手段と、
当該情報端末装置宛に無線送信された信号を受信する受信手段と、
該受信手段により受信された信号に含まれる画像データを、前記使用者情報記憶手段に記憶されている転送先情報に係る転送先宛に送信する送信手段と、
を有する、
ことを特徴とする情報システム。
【請求項１３】
前記撮像装置の前記送信手段は、
前記撮像手段により得られた画像データと当該撮像装置を特定する装置情報を含む信号を無線送信し、
前記情報端末装置は、
装置を特定する装置情報が記憶される装置情報記憶手段を更に有し、前記受信手段により受信された信号に含まれる当該信号の送信元を示す装置情報が、前記装置情報記憶手段に記憶されている装置情報の中に含まれていなかった場合には、前記信号の受信を許可し、前記受信手段により受信された信号に含まれる当該信号の送信元を示す装置情報が、前記装置情報記憶手段に記憶されている装置情報の中に含まれていた場合には、前記信号の受信を拒否する、
ことを特徴とする請求項１１又は１２記載の情報システム。
【請求項１４】
更に画像システム端末装置と画像システムを含む情報システムであって、
前記情報端末装置において、
前記使用者情報記憶手段には、転送先を前記画像システムとした転送先情報と使用者識別情報とが記憶され、
前記画像システム端末装置は、
使用者識別情報を含む個人情報を設定する個人情報設定手段と、該個人情報設定手段により設定された個人情報を前記画像システム宛に送信する第１の送信手段と、前記画像システムの画像データベースに記憶されている特定の画像データに係る画像データ識別情報と該特定の画像データに対する印刷設定に係る情報と使用者識別情報を含む印刷情報を設定する印刷情報設定手段と、該印刷情報設定手段により設定された印刷情報を含む信号を前記画像システム宛に送信する第２の送信手段と、
を有し、
前記画像システムは、
前記情報端末装置の前記送信部により送信された信号を受信する第１の受信手段と、該第１の受信手段により受信された信号に含まれる画像データと使用者識別情報が、関連付けされると共に該画像データに該画像データを識別するための画像データ識別情報が付されて記憶される画像データベースと、前記画像システム端末装置の第１の送信手段により送信された信号を受信する第２の受信手段と、該第２の受信手段により受信された信号に含まれる個人情報が記憶される顧客データベースと、前記画像システム端末装置の第２の送信手段により送信された信号を受信する第３の受信手段と、該第３の受信手段により受信された信号に含まれる印刷情報に含まれる印刷設定に係る情報と、前記印刷情報に含まれる画像データ識別情報に基づいて前記画像データベースから読み出された画像データと、前記印刷情報に含まれる使用者識別情報に基づいて前記顧客データベースから読み出された個人情報と、を含む信号を送信する送信部と、
を有する、
ことを特徴とする請求項１１記載の情報システム。
【請求項１５】
更に画像システム端末装置と画像システムを含む情報システムであって、
前記撮像装置の前記送信手段は、
前記撮像手段により得られた画像データと当該撮像装置を特定する装置情報を含む信号を、前記送信先情報記憶手段に記憶されている送信先情報に係る送信先宛に無線送信し、
前記情報端末装置において、
前記使用者情報記憶部には、転送先を前記画像システムとした転送先情報と使用者識別情報とが記憶されると共に、更に、装置を特定する装置情報が記憶される装置情報記憶手段を有し、当該情報端末装置の前記受信手段により受信された信号に含まれる装置情報が、前記装置情報記憶手段に記憶されている装置情報の中に含まれていなかった場合には、前記信号の受信を許可し、当該情報端末装置の前記受信手段により受信された信号に含まれる装置情報が、前記装置情報記憶手段に記憶されている装置情報の中に含まれていた場合には、前記信号の受信を拒否し、
前記画像システム端末装置は、
使用者識別情報を含む個人情報を設定する個人情報設定手段と、該個人情報設定手段により設定された個人情報を前記画像システム宛に送信する第１の送信手段と、前記画像システムの画像データベースに記憶されている特定の画像データに係る画像データ識別情報と該特定の画像データに対する印刷設定に係る情報と使用者識別情報を含む印刷情報を設定する印刷情報設定手段と、該印刷情報設定手段により設定された印刷情報を含む信号を前記画像システム宛に送信する第２の送信手段と、
を有し、
前記画像システムは、
前記情報端末装置の前記送信部により送信された信号を受信する第１の受信手段と、該第１の受信手段により受信された信号に含まれる画像データと使用者識別情報が、関連付けされると共に該画像データに該画像データを識別するための画像データ識別情報が付されて記憶される画像データベースと、前記画像システム端末装置の第１の送信手段により送信された信号を受信する第２の受信手段と、該第２の受信手段により受信された信号に含まれる個人情報が記憶される顧客データベースと、前記画像システム端末装置の第２の送信手段により送信された信号を受信する第３の受信手段と、該第３の受信手段により受信された信号に含まれる印刷情報に含まれる印刷設定に係る情報と、前記印刷情報に含まれる画像データ識別情報に基づいて前記画像データベースから読み出された画像データと、前記印刷情報に含まれる使用者識別情報に基づいて前記顧客データベースから読み出された個人情報と、を含む信号を送信する送信部と、
を有する、
ことを特徴とする請求項１２記載の情報システム。
【請求項１６】
撮像装置、情報端末装置、及び画像システム端末装置を含む情報システムであって、
前記撮像装置は、
被写体を撮像して画像データを得る撮像手段と、
該撮像手段により得られた画像データを含む信号を無線送信する送信手段と、
を有し、
前記情報端末装置は、
特定方向から無線送信された信号を受信する指向性を有した受信手段と、
該受信手段により受信された信号に含まれる画像データが記憶される画像データ記憶手段と、
を有し、
前記画像システム端末装置は、
当該画像システム端末装置に有線接続されている前記情報端末装置の画像データ記憶手段に記憶されている画像データ、該画像データに対する印刷設定に係る情報、及び個人情報を含む信号を送信する送信手段、
を有する、
ことを特徴とする情報システム。
【請求項１７】
撮像装置、情報端末装置、及び画像システム端末装置を含む情報システムであって、
前記撮像装置は、
被写体を撮像して画像データを得る撮像手段と、
送信先に係る送信先情報が記憶される送信先情報記憶手段と、
前記撮像手段により得られた画像データと当該撮像装置を特定する装置情報を含む信号を、前記送信先情報記憶手段に記憶されている送信先情報に係る送信先宛に無線送信する送信手段と、
を有し、
前記情報端末装置は、
転送先情報が記憶される使用者情報記憶手段と、
当該情報端末装置宛に無線送信された信号を受信する受信手段と、
該受信手段により受信された信号に含まれる画像データを、前記使用者情報記憶手段に記憶されている転送先情報に係る転送先宛に送信する送信手段と、
装置を特定する装置情報が記憶される装置情報記憶手段と、
を有すると共に、前記受信手段により受信された信号に含まれる当該信号の送信元を示す装置情報が、前記装置情報記憶手段に記憶されている装置情報の中に含まれていなかった場合には、前記信号の受信を許可し、前記受信手段により受信された信号に含まれる当該信号の送信元を示す装置情報が、前記装置情報記憶手段に記憶されている装置情報の中に含まれていた場合には、前記信号の受信を拒否し、
前記画像システム端末装置は、
当該画像システム端末装置に有線接続されている前記情報端末装置の画像データ記憶手段に記憶されている画像データ、該画像データに対する印刷設定に係る情報、及び個人情報を含む信号を送信する送信手段、
を有する、
ことを特徴とする情報システム。
【請求項１８】
更に画像システムを含む情報システムであって、
前記画像システム端末装置の前記送信手段は前記信号を画像システム宛に送信し、
前記画像システムは、
前記画像システム端末装置の前記送信手段により送信された信号を受信する受信手段と、当該画像システムの受信手段により受信された信号に含まれる画像データが記憶される画像データベースと、当該画像システムの受信手段により受信された信号に含まれる個人情報が記憶される顧客データベースと、前記画像データベースに記憶された画像データと前記顧客データベースに記憶された個人情報とを含む信号を送信する送信手段と、
を有する、
ことを特徴とする請求項１６又は１７記載の情報システム。
【請求項１９】
転送先情報を記憶し、
特定方向から無線送信された信号を受信し、
該受信した信号に含まれる画像データを、前記転送先情報に係る転送先宛に送信する、
ことを特徴とする情報転送方法。
【請求項２０】
転送先情報を記憶し、
自己宛に無線送信された信号を受信し、
該受信した信号に含まれる画像データを、前記転送先情報に係る転送先宛に送信する、
ことを特徴とする情報転送方法。
【請求項２１】
特定方向から無線送信された信号を受信し、
該受信した信号に含まれる画像データを記憶し、
該記憶した画像データが有線により外部へ送信される、
ことを特徴とする情報転送方法。
【請求項２２】
撮像装置が、
被写体を撮像して画像データを取得し、
該取得した画像データを含む信号を無線送信し、
情報端末装置が、
特定方向にある前記撮像装置から無線送信された信号を受信し、
該受信した信号に含まれる画像データを、記憶している転送先情報に係る転送先宛に送信する、
ことを特徴とする情報転送方法。
【請求項２３】
撮像装置が、
被写体を撮像して画像データを取得し、
該取得した画像データを含む信号を、記憶している送信先情報に係る送信先宛に無線送信し、
情報端末装置が、
自己宛に無線送信された信号を受信し、
該受信した信号に含まれる画像データを、記憶している転送先情報に係る転送先宛に送信する、
ことを特徴とする情報転送方法。
【請求項２４】
前記撮像装置は、
前記取得した画像データと当該撮像装置を特定する装置情報を含む信号を、記憶している送信先情報に係る送信先宛に無線送信する、
ことを特徴とする請求項２２又は２３記載の情報転送方法。
【請求項２５】
情報端末装置のコンピュータに、
転送先情報を記憶する機能と、
特定方向から無線送信された信号を受信する機能と、
該受信した信号に含まれる画像データを、前記転送先情報に係る転送先宛に送信する機能と、
を実現させるための情報転送プログラム。
【請求項２６】
情報端末装置のコンピュータに、
転送先情報を記憶する機能と、
自己宛に無線送信された信号を受信する機能と、
該受信した信号に含まれる画像データを、前記転送先情報に係る転送先宛に送信する機能と、
を実現させるための情報転送プログラム。
【発明の詳細な説明】
【技術分野】
【０００１】
本発明は、他の装置との間でデータの受信や送信を行う情報端末装置と、その情報端末装置を含む情報システムに適用される技術に関する。
【背景技術】
【０００２】
従来、海，山等の行楽地や観光地、また遊園地やテーマパーク等においては、人物を被写体として様々な形態で記念撮影が行われている。例えば、友人・知人等の間でお互いに撮影し合ったり、三脚を用いて撮影したり、写真業者の記念撮影サービスを利用したり、そこに居合わせた他人に自分のカメラを渡して撮影を依頼したり、等といった具合である。
【０００３】
また、テーマパーク等においては、アトラクションの要所に設置された撮影システムを利用した記念撮影も行われている。この撮影システムは、乗り物が近づいたときに自動的に撮影を行い、そのアトラクションの出口にて、利用者の望む画像（撮影された画像）をプリントできるようにしたシステムである。また、そのようにして各アトラクションにて撮影された利用者の画像をまとめてサーバーに蓄積するようにし、後に、利用者がセンター内に設置されている画像処理システムを介して種々の指示を行うことで、サーバーに蓄積されている自分の画像のプリントや、その画像を記録した記録媒体の出力、等といったことを可能にする画像撮影システムも提案されている（例えば特許文献１）。
【特許文献１】特開２００１−１７７７５０号公報
【発明の開示】
【発明が解決しようとする課題】
【０００４】
ところで、前述のように友人等の間でお互いに撮影し合う場合等には、友人が所有するカメラによって自分が撮影されることが多々ある。この場合、その撮影により得られた画像データは、後に、そのカメラの所有者から被写体となった者へ、フロッピー（登録商標）ディスクやＣＤ−Ｒ（ CD Recordable ）等の記憶媒体を介して、或いは電子メール等を介して、渡されていた。このようなことから、被写体となった者へ画像データを渡すことは、カメラの所有者に面倒な作業を生じさせ負担となっていた。特に、被写体となった者の人数や撮影枚数が多い場合には、その負担は更に大きくなった。
【０００５】
また、上述のテーマパーク等に設置されている撮影システム（特許文献１の画像撮影システムも含む）を利用する場合には、その撮影システムが設置されている場所でしか撮影を行うことができないので、その撮影システムを利用できない場所での撮影を考慮すると、前述のような問題は残ったままである。
【０００６】
本発明は、上記実情に鑑み、特定の者に簡易に画像データを渡すことを可能にする、情報端末装置、情報システム、情報転送方法、及び情報転送プログラムを提供することを目的とする。
【課題を解決するための手段】
【０００７】
本発明の第１の態様は、転送先情報が記憶される使用者情報記憶手段と、特定方向から無線送信された信号を受信する指向性を有した受信手段と、該受信手段により受信された信号に含まれる画像データを、前記使用者情報記憶手段に記憶されている転送先情報に係る転送先宛に送信する送信手段と、を有する情報端末装置である。
【０００８】
上記の構成によれば、受信手段が受信可能な特定方向から無線送信された信号に含まれている画像データが、当該情報端末装置を介して、転送先情報に係る転送先宛に送信されるようになる。よって、転送先を所望の転送先とした転送先情報としておくことで、画像データを所望の転送先へ転送することが可能になる。尚、転送先情報には、電子メールアドレスに係る情報、又は携帯電話機若しくはＰＨＳの電話番号に係る情報等が含まれる。
【０００９】
本発明の第２の態様は、転送先情報が記憶される使用者情報記憶手段と、当該情報端末装置宛に無線送信された信号を受信する受信手段と、該受信手段により受信された信号に含まれる画像データを、前記使用者情報記憶手段に記憶されている転送先情報に係る転送先宛に送信する送信手段と、を有する情報端末装置である。
【００１０】
上記の構成によれば、当該情報端末装置宛に無線送信された信号に含まれている画像データが、当該情報端末装置を介して、転送先情報に係る転送先宛に送信されるようになる。よって、転送先を所望の転送先とした転送先情報としておくことで、画像データを所望の転送先へ転送することが可能になる。
【００１１】
本発明の第３の態様は、特定方向から無線送信された信号を受信する指向性を有した受信手段と、該受信手段により受信された信号に含まれる画像データが記憶される画像データ記憶手段と、を有し、前記画像データ記憶手段に記憶されている画像データが有線により外部へ送信される、情報端末装置である。
【００１２】
上記の構成によれば、受信手段が受信可能な特定方向から無線送信された信号に含まれる画像データが、当該情報端末装置を介して、有線により外部へ送信されるようになる。よって、画像データを外部へ転送することが可能になる。
【００１３】
本発明の第４の態様は、上記の第１又は第２の態様において、前記受信手段により受信された信号に含まれる画像データが記憶される画像データ記憶手段、を更に有し、前記送信手段は、前記画像データ記憶手段に記憶された画像データを、前記使用者情報記憶手段に記憶されている転送先情報に係る転送先宛に送信する、構成である。
【００１４】
この構成によれば、当該情報端末装置宛に無線送信された信号に含まれる画像データが、画像データ記憶手段に記憶されるようになる。
本発明の第５の態様は、上記の第４の態様において、前記画像データ記憶手段に記憶された画像データに対する印刷設定に係る印刷情報を設定する印刷情報設定手段、を更に有し、前記使用者情報記憶手段には、更に個人情報が記憶され、前記送信手段は、前記画像データ記憶手段に記憶された画像データ、該画像データに対し前記印刷情報設定手段により設定された印刷情報、及び前記使用者情報記憶手段に記憶されている個人情報を、前記使用者情報記憶手段に記憶されている転送先情報に係る転送先宛に送信する、構成である。
【００１５】
この構成によれば、画像データと、該画像データに対する印刷設定に係る印刷情報と、個人情報（例えば、氏名や住所等の情報）が、転送先情報に係る転送先宛に送信されるようになる。よって、転送先を印刷サービスを行っている印刷会社とした転送先情報とすることで、印刷依頼を簡易に行うことが可能になる。
【００１６】
本発明の第六の態様は、上記の第５の態様において、前記個人情報は、少なくとも、氏名情報、住所情報、及び決済情報の何れか一つ又は複数を含む、構成である。
この構成によれば、個人情報として、氏名情報、住所情報、及び決済情報の何れか一つ又は複数が送信されるようになる。
【００１７】
本発明の第７の態様は、上記の第１、第２、及び第５の何れか一つの態様において、転送先情報、又は該転送先情報及び個人情報を入力する入力手段、を更に有し、前記使用者情報記憶手段には、前記入力手段により入力された転送先情報、又は該転送先情報及び個人情報が記憶される、構成である。
【００１８】
この構成によれば、使用者情報記憶手段に記憶される、転送先情報、又は該転送先情報及び個人情報は、入力手段により入力されたものとなる。
本発明の第８の態様は、上記の第１乃至第３の何れか一つの態様において、装置を特定する装置情報が記憶される装置情報記憶手段、を更に有し、前記受信手段により受信された信号に含まれる装置情報が、前記装置情報記憶手段に記憶されている装置情報の中に含まれていなかった場合には、前記信号の受信を許可し、前記受信手段により受信された信号に含まれる装置情報が、前記装置情報記憶手段に記憶されている装置情報の中に含まれていた場合には、前記信号の受信を拒否する、構成である。
【００１９】
この構成によれば、信号の受信を拒否したい装置を特定する装置情報（例えば装置のアドレス情報等）を、予め装置情報記憶手段に記憶させておくことで、その装置から無線送信された信号の受信を拒否することが可能になる。
【００２０】
本発明の第９の態様は、上記の第１乃至第３の何れか一つの態様において、装置を特定する装置情報が記憶される装置情報記憶手段、を更に有し、前記受信手段により受信された信号に含まれる装置情報が、前記装置情報記憶手段に記憶されている装置情報の中に含まれていた場合には、前記信号の受信を許可し、前記受信手段により受信された信号に含まれる装置情報が、前記装置情報記憶手段に記憶されている装置情報の中に含まれていなかった場合には、前記信号の受信を拒否する、構成である。
【００２１】
この構成によれば、信号の受信を許可したい装置を特定する装置情報（例えば装置のアドレス情報等）を、予め装置情報記憶手段に記憶させておくことで、その装置から無線送信された信号の受信を許可することが可能になる。
【００２２】
本発明の第１０の態様は、上記の第１乃至第３の何れか一つの態様において、前記受信手段は、赤外線、電磁波、又は超音波の何れか一つによる信号を受信する、構成である。
本発明の第１１の態様は、撮像装置及び情報端末装置を含む情報システムであって、前記撮像装置は、被写体を撮像して画像データを得る撮像手段と、該撮像手段により得られた画像データを含む信号を無線送信する送信手段と、を有し、前記情報端末装置は、転送先情報が記憶される使用者情報記憶手段と、特定方向から無線送信された信号を受信する指向性を有した受信手段と、該受信手段により受信された信号に含まれる画像データを、前記使用者情報記憶手段に記憶されている転送先情報に係る転送先宛に送信する送信手段と、を有する、情報システムである。
【００２３】
上記の構成によれば、例えば、情報端末装置の使用者情報記憶手段に、転送先を被写体となる者に係る転送先（例えばその者の電子メールアドレス等）とした転送先情報を記憶させた上で、情報端末装置の受信手段が信号を受信可能な特定方向に撮像装置があるようにして、撮影者が撮像装置を用いて情報端末装置を所持等している被写体となる者を撮影した場合には、撮像手段により撮像された画像データが、情報端末装置を介して、被写体となった者に係る転送先宛に送信されるようになる。よって、撮影者から被写体となった者へ簡易に画像データを渡すことが可能になる。
【００２４】
本発明の第１２の態様は、撮像装置及び情報端末装置を含む情報システムであって、前記撮像装置は、被写体を撮像して画像データを得る撮像手段と、送信先に係る送信先情報が記憶される送信先情報記憶手段と、前記撮像手段により得られた画像データを含む信号を、前記送信先情報記憶手段に記憶されている送信先情報に係る送信先宛に無線送信する送信手段と、を有し、前記情報端末装置は、転送先情報が記憶される使用者情報記憶手段と、当該情報端末装置宛に無線送信された信号を受信する受信手段と、該受信手段により受信された信号に含まれる画像データを、前記使用者情報記憶手段に記憶されている転送先情報に係る転送先宛に送信する送信手段と、を有する、情報システムである。
【００２５】
上記の構成によれば、例えば、撮像装置の送信先情報記憶手段に、送信先を情報端末装置とする送信先情報を記憶させ、情報端末装置の使用者情報記憶手段に、転送先を被写体となる者に係る転送先（例えばその者の電子メールアドレス等）とした転送先情報を記憶させた上で、撮影者が撮像装置を用いて情報端末装置を所持等している被写体となる者を撮影した場合には、撮像手段により撮像された画像データが、情報端末装置を介して、被写体となった者に係る転送先宛に送信されるようになる。よって、撮影者から被写体となった者へ簡易に画像データを渡すことが可能になる。
【００２６】
本発明の第１３の態様は、上記の第１１又は第１２の態様において、前記撮像装置の前記送信手段は、前記撮像手段により得られた画像データと当該撮像装置を特定する装置情報を含む信号を無線送信し、前記情報端末装置は、装置を特定する装置情報が記憶される装置情報記憶手段を更に有し、前記受信手段により受信された信号に含まれる当該信号の送信元を示す装置情報が、前記装置情報記憶手段に記憶されている装置情報の中に含まれていなかった場合には、前記信号の受信を許可し、前記受信手段により受信された信号に含まれる当該信号の送信元を示す装置情報が、前記装置情報記憶手段に記憶されている装置情報の中に含まれていた場合には、前記信号の受信を拒否する、構成である。
【００２７】
この構成によれば、画像データの受信を拒否したい撮像装置を特定する装置情報（撮像装置のアドレス情報等）を、予め装置情報記憶手段に記憶させておくことで、その撮像装置から無線送信された信号の受信を拒否することが可能になる。
【００２８】
本発明の第１４の態様は、上記の第１１の態様において、更に画像システム端末装置と画像システムを含む情報システムであって、前記情報端末装置において、前記使用者情報記憶手段には、転送先を前記画像システムとした転送先情報と使用者識別情報とが記憶され、前記画像システム端末装置は、使用者識別情報を含む個人情報を設定する個人情報設定手段と、該個人情報設定手段により設定された個人情報を前記画像システム宛に送信する第１の送信手段と、前記画像システムの画像データベースに記憶されている特定の画像データに係る画像データ識別情報と該特定の画像データに対する印刷設定に係る情報と使用者識別情報を含む印刷情報を設定する印刷情報設定手段と、該印刷情報設定手段により設定された印刷情報を含む信号を前記画像システム宛に送信する第２の送信手段と、を有し、前記画像システムは、前記情報端末装置の前記送信部により送信された信号を受信する第１の受信手段と、該第１の受信手段により受信された信号に含まれる画像データと使用者識別情報が、関連付けされると共に該画像データに該画像データを識別するための画像データ識別情報が付されて記憶される画像データベースと、前記画像システム端末装置の第１の送信手段により送信された信号を受信する第２の受信手段と、該第２の受信手段により受信された信号に含まれる個人情報が記憶される顧客データベースと、前記画像システム端末装置の第２の送信手段により送信された信号を受信する第３の受信手段と、該第３の受信手段により受信された信号に含まれる印刷情報に含まれる印刷設定に係る情報と、前記印刷情報に含まれる画像データ識別情報に基づいて前記画像データベースから読み出された画像データと、前記印刷情報に含まれる使用者識別情報に基づいて前記顧客データベースから読み出された個人情報と、を含む信号を送信する送信部と、を有する、構成である。
【００２９】
この構成によれば、撮影が行われると、撮像装置から無線送信された画像データが情報端末装置を介して画像システムの画像データベースに記憶される。一方、画像システム端末装置において個人情報が設定されると、その個人情報が画像システムへ送信され、画像システムの顧客データベースに記憶される。そして、画像システム端末装置において印刷情報が設定されると、その印刷情報が画像システムへ送信され、画像システムにおいて、その印刷情報に基づいて、印刷対象とする画像データ、印刷設定に係る情報、個人情報が取得され、それらの情報を含む信号が、例えば印刷サービスを行っている印刷会社等に送信されるようになる。よって、撮影により得られた画像データに対する印刷設定等を、画像システム端末装置を介して行うことによって、印刷依頼を簡易に行うことが可能になる。
【００３０】
本発明の第１５の態様は、上記の第１２の態様において、更に画像システム端末装置と画像システムを含む情報システムであって、前記撮像装置の前記送信手段は、前記撮像手段により得られた画像データと当該撮像装置を特定する装置情報を含む信号を、前記送信先情報記憶手段に記憶されている送信先情報に係る送信先宛に無線送信し、前記情報端末装置において、前記使用者情報記憶部には、転送先を前記画像システムとした転送先情報と使用者識別情報とが記憶されると共に、更に、装置を特定する装置情報が記憶される装置情報記憶手段を有し、当該情報端末装置の前記受信手段により受信された信号に含まれる装置情報が、前記装置情報記憶手段に記憶されている装置情報の中に含まれていなかった場合には、前記信号の受信を許可し、当該情報端末装置の前記受信手段により受信された信号に含まれる装置情報が、前記装置情報記憶手段に記憶されている装置情報の中に含まれていた場合には、前記信号の受信を拒否し、前記画像システム端末装置は、使用者識別情報を含む個人情報を設定する個人情報設定手段と、該個人情報設定手段により設定された個人情報を前記画像システム宛に送信する第１の送信手段と、前記画像システムの画像データベースに記憶されている特定の画像データに係る画像データ識別情報と該特定の画像データに対する印刷設定に係る情報と使用者識別情報を含む印刷情報を設定する印刷情報設定手段と、該印刷情報設定手段により設定された印刷情報を含む信号を前記画像システム宛に送信する第２の送信手段と、を有し、前記画像システムは、前記情報端末装置の前記送信部により送信された信号を受信する第１の受信手段と、該第１の受信手段により受信された信号に含まれる画像データと使用者識別情報が、関連付けされると共に該画像データに該画像データを識別するための画像データ識別情報が付されて記憶される画像データベースと、前記画像システム端末装置の第１の送信手段により送信された信号を受信する第２の受信手段と、該第２の受信手段により受信された信号に含まれる個人情報が記憶される顧客データベースと、前記画像システム端末装置の第２の送信手段により送信された信号を受信する第３の受信手段と、該第３の受信手段により受信された信号に含まれる印刷情報に含まれる印刷設定に係る情報と、前記印刷情報に含まれる画像データ識別情報に基づいて前記画像データベースから読み出された画像データと、前記印刷情報に含まれる使用者識別情報に基づいて前記顧客データベースから読み出された個人情報と、を含む信号を送信する送信部と、を有する、構成である。
【００３１】
この構成によれば、画像データの受信を拒否したい撮像装置を特定する装置情報（撮像装置のアドレス情報等）を、予め装置情報記憶手段に記憶させておくことで、その撮像装置から無線送信された信号の受信を拒否することが可能になる。よって、特定の撮像装置から送信された画像データを、画像システムの画像データベースに記憶させないようにすることができる。
【００３２】
本発明の第１６の態様は、撮像装置、情報端末装置、及び画像システム端末装置を含む情報システムであって、前記撮像装置は、被写体を撮像して画像データを得る撮像手段と、該撮像手段により得られた画像データを含む信号を無線送信する送信手段と、を有し、前記情報端末装置は、特定方向から無線送信された信号を受信する指向性を有した受信手段と、該受信手段により受信された信号に含まれる画像データが記憶される画像データ記憶手段と、を有し、前記画像システム端末装置は、当該画像システム端末装置に有線接続されている前記情報端末装置の画像データ記憶手段に記憶されている画像データ、該画像データに対する印刷設定に係る情報、及び個人情報を含む信号を送信する送信手段、を有する、情報システムである。
【００３３】
上記の構成によれば、撮影によって撮像装置から無線送信された画像データが情報端末装置の画像記憶手段に記憶された後、情報端末装置と画像システムが有線接続され、画像システムにおいて、画像記憶手段に記憶されている画像データに対する印刷設定等が行われることによって、その画像データ、その印刷設定に係る情報、及び個人情報を含む信号が、例えば印刷サービスを行っている印刷会社等に送信されるようになる。よって、画像システム端末装置を介して印刷依頼を簡易に行うことが可能になる。
【００３４】
本発明の第１７の態様は、撮像装置、情報端末装置、及び画像システム端末装置を含む情報システムであって、前記撮像装置は、被写体を撮像して画像データを得る撮像手段と、送信先に係る送信先情報が記憶される送信先情報記憶手段と、前記撮像手段により得られた画像データと当該撮像装置を特定する装置情報を含む信号を、前記送信先情報記憶手段に記憶されている送信先情報に係る送信先宛に無線送信する送信手段と、を有し、前記情報端末装置は、転送先情報が記憶される使用者情報記憶手段と、当該情報端末装置宛に無線送信された信号を受信する受信手段と、該受信手段により受信された信号に含まれる画像データを、前記使用者情報記憶手段に記憶されている転送先情報に係る転送先宛に送信する送信手段と、装置を特定する装置情報が記憶される装置情報記憶手段と、を有すると共に、前記受信手段により受信された信号に含まれる当該信号の送信元を示す装置情報が、前記装置情報記憶手段に記憶されている装置情報の中に含まれていなかった場合には、前記信号の受信を許可し、前記受信手段により受信された信号に含まれる当該信号の送信元を示す装置情報が、前記装置情報記憶手段に記憶されている装置情報の中に含まれていた場合には、前記信号の受信を拒否し、前記画像システム端末装置は、当該画像システム端末装置に有線接続されている前記情報端末装置の画像データ記憶手段に記憶されている画像データ、該画像データに対する印刷設定に係る情報、及び個人情報を含む信号を送信する送信手段、を有する、情報システムである。
【００３５】
上記の構成によれば、画像データの受信を拒否したい撮像装置を特定する装置情報（撮像装置のアドレス情報等）を、予め装置情報記憶手段に記憶させておくことで、その撮像装置から無線送信された信号の受信を拒否することが可能になる。よって、特定の撮像装置から送信された画像データを、印刷対象とさせないようにすることができる。
【００３６】
本発明の第１８の態様は、上記の第１６又は第１７の態様において、更に画像システムを含む情報システムであって、前記画像システム端末装置の前記送信手段は前記信号を画像システム宛に送信し、前記画像システムは、前記画像システム端末装置の前記送信手段により送信された信号を受信する受信手段と、当該画像システムの受信手段により受信された信号に含まれる画像データが記憶される画像データベースと、当該画像システムの受信手段により受信された信号に含まれる個人情報が記憶される顧客データベースと、前記画像データベースに記憶された画像データと前記顧客データベースに記憶された個人情報とを含む信号を送信する送信手段と、を有する、構成である。
【００３７】
この構成によれば、画像システム端末装置から送信される信号が、一旦、画像システムを介して送信されるようになり、また、その際に画像システムにおいて、その信号に含まれる画像データと個人情報がそれぞれ画像データベースと顧客データベースに記憶されるようになる。よって、例えば、顧客情報の収集等を行うことができる。
【００３８】
また、上述の第１乃至第３の何れか一つの態様に係る情報端末装置の発明、及び第１１乃至第１３の何れか一つの態様に係る情報システムの発明を、情報転送方法として構成することも可能である。
【００３９】
また、上述の第１又は第２に係る情報端末装置の発明を、情報転送プログラムとして構成することも可能である。
【発明の効果】
【００４０】
本発明によれば、撮影により得られた画像データを、例えば被写体となった者等の特定の者に簡易に渡すことが可能になる。また、撮影により得られた画像データに係る画像の印刷依頼を簡易に行うことが可能になる。
【発明を実施するための最良の形態】
【００４１】
以下、本発明の実施の形態を図面を参照しながら説明する。
図１は、本発明の第１の実施の形態に係る情報システムに含まれる、デジタルカメラと携帯型情報端末装置（以下単に端末装置ともいう）の構成例を示したブロック図である。
【００４２】
デジタルカメラ１は、撮影により得られた画像データ（静止画或いは動画に係る画像データ）等の情報を無線送信する機能を有するカメラであって、撮影開始指示を行うためシャッターボタン（不図示）の押下により被写体を撮像して画像データを取得する撮像部３と、その撮像部３により得られた画像データが記憶される画像記憶部４と、その画像記憶部４に記憶されている画像データを含む信号を無線送信する送信部５と、当該デジタルカメラ１の動作を制御するためのコントロールプログラムが記憶されているプログラムメモリ６と、そのプログラムメモリ６に記憶されているコントロールプログラムを読み出し実行することにより当該デジタルカメラ１全体の動作を制御するコントローラ（ＣＰＵ）７等を有しいている。
【００４３】
一方、端末装置２は、特定の方向から無線送信された信号を受信し、その信号に含まれる情報（本例では画像データ）を特定の転送先へ送信する機能を備えた小型の装置であって、携帯性を考慮して、いわゆるバッチのように使用者の衣服等に取り付けることが可能になっている。この端末装置２は、特定方向から無線送信された信号を受信する指向性を有した受信部８と、その受信部８により受信された信号に含まれる画像データが記憶される画像記憶部９と、使用者による転送先の入力指示に応じてその転送先に係る転送先情報を入力する入力部１０と、その入力部１０により入力された転送先情報が記憶される使用者情報記憶部１１と、画像記憶部９に記憶されている画像データを含む信号を使用者情報記憶部１１に記憶されている転送先情報に係る転送先宛に送信する送信部１２と、当該端末装置２の動作を制御するためのコントロールプログラム（情報転送プログラムを含む）が記憶されているプログラムメモリ１３と、そのプログラムメモリ１３に記憶されているコントロールプログラムを読み出し実行することにより当該端末装置２全体の動作を制御するコントローラ（ＣＰＵ）１４等を有しいている。
【００４４】
尚、デジタルカメラ１の送信部５による信号の無線送信は、例えば電磁波，赤外線，又は超音波等によって行われ、端末装置２の受信部８は、それに対応して、電磁波，赤外線，又は超音波等による信号を受信するようになっている。
【００４５】
また、前述の転送先情報は、例えば、使用者の電子メールアドレスに係る情報、又は携帯電話機或いはＰＨＳの電話番号に係る情報等である。
また、端末装置２において、画像記憶部９を省いて、受信部８により受信された信号に含まれる画像データを、送信部１２へ直接送るように構成することも可能である。
【００４６】
続いて、上述したデジタルカメラ１と端末装置２の動作について説明する。
ここでは、その一例として、撮影者がデジタルカメラ１を用いて端末装置２を所持している被写体となる者を撮影（記念撮影）する場合の動作について説明する。但し、その撮影の際に、被写体となる者は、端末装置２の受信部８の指向方向（指向性を有する方向）がデジタルカメラ１の方向に向けられるように、例えば端末装置２を自分の衣服の胸部分に取り付ける等して、所持しているとする。
【００４７】
図２は、そのような場合のデジタルカメラ１と端末装置２の動作に係るフローチャートを示した図である。
同図において、Ｓ２０１乃至Ｓ２０２及びＳ２０６乃至Ｓ２０８の処理は端末装置２の動作を示し、Ｓ２０３乃至Ｓ２０５の処理はデジタルカメラ１の動作を示している。
【００４８】
まず、端末装置２への転送先の入力に係る処理である、端末装置２によるＳ２０１乃至Ｓ２０２の処理が行われる。Ｓ２０１では、端末装置２の使用者（被写体となる者）による所望の１つ又は複数の転送先の入力指示に応じて１つ又は複数の転送先情報が入力部１０により入力される。Ｓ２０２では、前ステップで入力された１つ又は複数の転送先情報が使用者情報記憶部１１に記憶される。
【００４９】
続いて、撮影者による被写体となる者の撮影に係る処理である、デジタルカメラ１によるＳ２０３乃至Ｓ２０５の処理、及び端末装置２によるＳ２０６乃至Ｓ２０８の処理が行われる。
【００５０】
まず、デジタルカメラ１において、Ｓ２０３では、撮影者によるシャッターボタンの押下が検出され、撮像部３による被写体の撮像が行われる。Ｓ２０４では、前ステップの撮像により得られた画像データが画像記憶部４に記憶される。Ｓ２０５では、前ステップで記憶された画像データを含む信号が送信部５により無線送信される。このように、シャッターボタンが押下されると、撮影が行われて、その撮影により得られた画像データが無線送信される。
【００５１】
続いて、端末装置２において、Ｓ２０６では、デジタルカメラ１の送信部５により無線送信された画像データを含む信号が受信部８により受信される。尚、前述のように、撮影の際は、デジタルカメラ１の存在する方向に受信部８の指向方向が向けられているので、受信部８は、デジタルカメラ１から送信された信号を受信することができる。続いて、Ｓ２０７では、前ステップで受信された信号に含まれる画像データが画像記憶部９に記憶される。Ｓ２０８では、前ステップで記憶された画像データを含む信号が、Ｓ２０２で使用者情報記憶部１１に記憶された１つ又は複数の転送先情報に係る１つ又は複数の転送先宛に送信される。
【００５２】
以上のような動作により、デジタルカメラ１の存在する方向に端末装置２の受信部８の指向方向が向けられた状態で撮影が行われることで、自動的に、その撮影により得られた画像データが、デジタルカメラ１から端末装置２を介して、端末装置２に登録されている所望の転送先へ送信されるようになる。
【００５３】
以上、第１の実施の形態に係る情報システムによれば、撮影者は、特別な作業を要することなく、撮影により得られた画像データを被写体となった者へ簡易に渡すことが可能になる。
【００５４】
次に、本発明の第２の実施の形態に係る、デジタルカメラと携帯型情報端末装置を含む情報システムについて説明する。本実施形態に係る情報システムは、第１の実施の形態に係る情報システムの構成（図１参照）に加えて、更に、端末装置が特定のデジタルカメラから送信された画像データを受信しないようにした構成である。
【００５５】
図３は、第２の実施の形態に係る情報システムに含まれる、デジタルカメラと端末装置の構成例を示したブロック部である。
同図において、デジタルカメラ１ａは、当該デジタルカメラ１ａのカメラアドレスに係る情報（カメラアドレス情報）が記憶されているカメラアドレス記憶部１６を新たに備えている点が、第１の実施の形態に係るデジタルカメラ１（図１参照）と異なりその他の構成は同じである。但し、デジタルカメラ１ａにおいて、送信部５は、画像記憶部４に記憶されている画像データとカメラアドレス記憶部１６に記憶されているカメラアドレス情報を含む信号を送信する。
【００５６】
一方、端末装置２ａは、使用者による拒否カメラアドレスの入力指示に応じてその拒否カメラアドレスに係る拒否カメラアドレス情報を入力する入力部１７と、その入力部１７により入力された拒否カメラアドレス情報が記憶される拒否カメラアドレス記憶部１８を新たに備えている点が、第１の実施の形態に係る端末装置２と異なりその他の構成は同じである。但し、端末装置２ａは、受信部８が信号を受信したときに、その信号に含まれるカメラアドレス情報が、拒否カメラアドレス記憶部１８に記憶されている拒否カメラアドレス情報の何れとも同一でなかったときに、その信号の受信を許可し、その信号に含まれる画像データを画像記憶部９に記憶するようにし、又は、そのカメラアドレス情報が、拒否カメラアドレス記憶部１８に記憶されている拒否カメラアドレス情報の何れかと同一であったときには、その信号の受信を拒否し、その信号に含まれる画像データを画像記憶部９に記憶しないようにする。
【００５７】
続いて、上述したデジタルカメラ１ａと端末装置２ａの動作について説明する。
ここでは、その一例として、第１の実施の形態に係る動作の場合と同様にして撮影者がデジタルカメラ１ａを用いて端末装置２ａを所持している被写体となる者を撮影（記念撮影）する場合の動作について説明する。
【００５８】
図４は、そのような場合のデジタルカメラ１ａと端末装置２ａの動作に係るフローチャートを示した図である。
同図において、Ｓ４０１乃至Ｓ４０６及びＳ４１１乃至Ｓ４１７の処理は端末装置２ａの動作を示し、Ｓ４０７乃至Ｓ４１０の処理はデジタルカメラ１ａの動作を示している。
【００５９】
まず、端末装置２ａへの転送先及び拒否カメラアドレスの入力に係る処理である、端末装置２ａによるＳ４０１乃至Ｓ４０６の処理が行われる。Ｓ４０１乃至Ｓ４０２では、図２のＳ２０１乃至Ｓ２０２と同様の処理が行われる。続くＳ４０３乃至Ｓ４０６では、Ｓ４０４乃至Ｓ４０５の処理が必要に応じて繰り返される。つまり、使用者によって１つの拒否カメラアドレスの入力指示が行われる毎に、その拒否カメラアドレスに係る拒否カメラアドレス情報が入力部１７により入力され（Ｓ４０４）、その拒否カメラアドレス情報が拒否カメラアドレス記憶部１８に記憶される（Ｓ４０５）。
【００６０】
続いて、撮影者による被写体となる者の撮影に係る処理である、デジタルカメラ１ａによるＳ４０７乃至Ｓ４１０の処理、及び端末装置２ａによるＳ４１１乃至Ｓ４１７の処理が行われる。
【００６１】
まず、デジタルカメラ１ａにおいて、Ｓ４０７乃至Ｓ４０８では、図２のＳ２０３乃至Ｓ２０４と同様の処理が行われる。Ｓ４０９では、カメラアドレス記憶部１６からカメラアドレス情報が読み出される。Ｓ４１０では、前ステップで読み出されたカメラアドレス情報とＳ４０８で画像記憶部４に記憶された画像データを含む信号が送信部５により無線送信される。
【００６２】
続いて、端末装置２ａにおいて、Ｓ４１１では、デジタルカメラ１ａの送信部５により無線送信されたカメラアドレス情報と画像データを含む信号が受信部８により受信される。尚、前述のように、撮影の際は、デジタルカメラ１ａの存在する方向に受信部８の指向方向が向けられているので、受信部８は、デジタルカメラ１ａから送信された信号を受信することができる。続いて、Ｓ４１２乃至Ｓ４１５では、Ｓ４１３乃至Ｓ４１４の処理が必要に応じて繰り返される。つまり、後述のＳ４１４で判定対象とされていない１つの拒否カメラアドレス情報が拒否カメラアドレス記憶部１８から読み出され（Ｓ４１３）、そのＳ４１３で読み出された拒否カメラアドレス情報とＳ４１１で受信された信号に含まれるカメラアドレス情報とが一致しているか否かが判定され（Ｓ４１４）、その判定結果がＹｅｓの場合には、その信号の受信が拒否され、その信号に含まれる画像データが画像記憶部９に記憶されずに処理が終了し、その判定結果がＮｏの場合には、Ｓ４１３へ戻る。そして、拒否カメラアドレス記憶部１８に記憶されている全ての拒否カメラアドレス情報の各々についてＳ４１４の判定が行われ、カメラアドレス情報と一致するものが無かったときには、その信号の受信が許可されてＳ４１６へ進み、そのＳ４１６乃至Ｓ４１７では、図２のＳ２０７乃至Ｓ２０８と同様の処理が行われる。
【００６３】
以上のような動作により、拒否カメラアドレスとして信号の受信を拒否したいデジタルカメラのアドレスを端末装置２ａに予め登録しておくことで、そのデジタルカメラから送信された信号の受信が拒否され、それ以外のデジタルカメラから送信された信号の受信が許可されるようになる。
【００６４】
以上、第２の実施の形態に係る情報システムによれば、端末装置は、特定のデジタルカメラから送信された画像データを受信しないようにすることが可能になる。よって、被写体となった者は、特定のデジタルカメラによる撮影により得られた画像データを受け取らないようにすることができる。
【００６５】
次に、本発明の第３の実施の形態に係る、デジタルカメラと携帯型情報端末装置を含む情報システムについて説明する。本実施形態に係る情報システムは、第１の実施の形態に係る情報システムの構成（図１参照）に加えて、更に、デジタルカメラが特定の端末装置だけに画像データを含む信号を送信するようにした構成である。
【００６６】
図５は、第３の実施の形態に係る情報システムに含まれる、デジタルカメラと端末装置の構成例を示したブロック部である。
同図において、デジタルカメラ１ｂは、使用者による送信先アドレスの入力指示に応じてその送信先アドレスに係る送信先アドレス情報を入力する入力部２１と、その入力部２１により入力された送信先アドレス情報が記憶される送信先アドレス記憶部２２とを新たに備え、また、送信部５の代わりに、画像記憶部４に記憶されている画像データを含む信号を、送信先アドレス記憶部２２に記憶されている送信先アドレス情報に係る送信先アドレス宛に無線送信する送信部２３を備えている点が、第１の実施の形態に係るデジタルカメラ１（図１参照）と異なりその他の構成は同じである。
【００６７】
一方、端末装置２ｂは、受信部８の代わりに、当該端末装置２ｂのアドレス宛に無線送信された信号のみを受信する受信部２４を備えている点が、第１の実施の形態に係る端末装置２と異なりその他の構成は同じである。また、この受信部２４が受信した信号に含まれる画像データは、画像記憶部９に記憶される。
【００６８】
尚、デジタルカメラ１ｂの送信部２３による信号の無線送信は、例えば電磁波，赤外線，又は超音波等によって行われ、端末装置２ｂの受信部２４は、それに対応して、電磁波，赤外線，又は超音波等による信号を受信するようになっている。
【００６９】
また、端末装置２ｂにおいて、画像記憶部９を省いて、受信部２４により受信された信号に含まれる画像データを、送信部１２へ直接送るように構成することも可能である。
続いて、上述したデジタルカメラ１ｂ及び端末装置２ｂの動作について説明する。
【００７０】
ここでは、その一例として、撮影者がデジタルカメラ１ｂを用いて被写体となる者を撮影（記念撮影）する場合の動作について説明する。但し、その撮影の際には、被写体となる者は、端末装置２ｂを所持しているか、或いはデジタルカメラ１ｂから無線送信された信号を受信可能な範囲内の位置に端末装置２ｂを置いているものとする。
【００７１】
図６は、そのような場合のデジタルカメラ１ｂと端末装置２ｂの動作に係るフローチャートを示した図である。
同図において、Ｓ６０１乃至Ｓ６０４及びＳ６０７乃至Ｓ６１２の処理はデジタルカメラ１ｂの動作を示し、Ｓ６０５乃至Ｓ６０６及びＳ６１３乃至Ｓ６１５の処理は端末装置２ｂの動作を示している。
【００７２】
まず、デジタルカメラ１ｂへの送信先アドレスの入力に係る処理である、デジタルカメラ１ｂによるＳ６０１乃至Ｓ６０４の処理、及び端末装置２ｂへの転送先の入力に係る処理である、端末装置２ｂによるＳ６０５乃至Ｓ６０６の処理が行われる。尚、デジタルカメラ１ｂによるＳ６０１乃至Ｓ６０４の処理と、端末装置２ｃによるＳ６０５乃至Ｓ６０６の処理は、どちらが先に行われても良く、また並列に行われても良い。
【００７３】
まず、デジタルカメラ１ｂにおいて、Ｓ６０１乃至Ｓ６０４の処理では、Ｓ６０２乃至Ｓ６０３の処理が必要に応じて繰り返される。つまり、使用者によって画像データの送信先となる１つの送信先アドレスの入力指示が行われる毎に、その送信先アドレスに係る送信先アドレス情報が入力部２１により入力され（Ｓ６０２）、その送信先アドレス情報が送信先アドレス記憶部２２に記憶される（Ｓ４０５）。例えば、被写体となる者が複数おり、そのうちの１人以上が画像データの取得を望んでいる場合等には、それを望む者が所持している端末装置のアドレスが入力指示され、そのアドレスに係る情報の入力及び記憶が行われることになる。本例では、少なくとも端末装置２ｂのアドレスが入力指示されたとする。
【００７４】
続いて、端末装置２ｂにおいて、Ｓ６０５乃至Ｓ６０６では、図２のＳ２０１乃至Ｓ２０２と同様の処理が行われる。
続いて、撮影者による被写体となる者の撮影に係る処理である、デジタルカメラ１ｂによるＳ６０７乃至Ｓ６１２の処理、及び端末装置２ｂによるＳ６１３乃至Ｓ６１５の処理が行われる。
【００７５】
まず、デジタルカメラ１ｂにおいて、Ｓ６０７乃至Ｓ６０８では、図２のＳ２０３乃至Ｓ２０４と同様の処理が行われる。Ｓ６０９乃至Ｓ６１２では、Ｓ６１０及びＳ６１１の処理が必要に応じて繰り返される。つまり、後述のＳ６１１で送信先とされていない１つの送信先アドレス情報が送信先アドレス記憶部２２から読み出され（Ｓ６１０）、そのＳ６１０で読み出された送信先アドレス情報に係る送信先アドレス宛に、Ｓ６０８で画像記憶部４に記憶された画像データを含む信号が送信部２３により無線送信される（Ｓ６１１）、といった処理が繰り返されることで、送信先アドレス記憶部２２に記憶されている全ての送信先アドレス情報に係る送信先アドレス宛にその画像データを含む信号の無線送信が行われる。
【００７６】
続いて、端末装置２ｂにおいて、Ｓ６１３では、デジタルカメラ１ｂの送信部２３により、当該端末装置２ｂのアドレス宛に無線送信された画像データを含む信号が受信される。続くＳ６１４乃至Ｓ６１５では、図２の２０７乃至Ｓ２０８と同様の処理が行われる。
【００７７】
以上のような動作により、画像データの送信先となる送信先アドレスをデジタルカメラ１ｂに予め登録しておくことで、その送信先アドレス宛のみに画像データを含む信号が無線送信されるようになる。
【００７８】
以上、第３の実施の形態に係る情報システムによれば、デジタルカメラは、特定の端末装置だけに画像データを送信することが可能になる。よって、撮影者は、特定の者だけに撮影により得られた画像データを送ることが可能になる。
【００７９】
また、このようにして、デジタルカメラが画像データの送信先を制限することができるので、例えば、観光地等で有料の記念撮影サービスを行っている写真業者が、このデジタルカメラを使用してサービスを行う等といった使用態様が考えられる。
【００８０】
次に、本発明の第４の実施の形態に係る、デジタルカメラと携帯型情報端末装置を含む情報システムについて説明する。本実施形態に係る情報システムは、第３の実施の形態に係るデジタルカメラ（図５参照）と、第２の実施の形態に係る端末装置（図３参照）を組み合わせるようにした構成である。
【００８１】
図７は、第４の実施の形態に係る情報システムに含まれる、デジタルカメラと端末装置の構成例を示したブロック部である。
同図において、デジタルカメラ１ｃは、当該デジタルカメラ１ｃのカメラアドレスに係る情報（カメラアドレス情報）が記憶されているカメラアドレス記憶部１６を新たに備えている点が、第３の実施の形態に係るデジタルカメラ１ｂ（図５参照）と異なりその他の構成は同じである。但し、デジタルカメラ１ｃにおいて、送信部２３は、画像記憶部４に記憶されている画像データとカメラアドレス記憶部１６に記憶されているカメラアドレス情報を含む信号を送信する。
【００８２】
一方、端末装置２ｃは、受信部８の代わりに、当該端末装置２ｃのアドレス宛に無線送信された信号のみを受信する受信部２４を備えている点が、第２の実施の形態に係る端末装置２ａ（図３参照）と異なりその他の構成は同じである。
【００８３】
続いて、上述したデジタルカメラ１ｃ及び端末装置２ｃの動作について説明する。
ここでは、その一例として、第３の実施の形態に係る動作の場合と同様にして撮影者がデジタルカメラ１ｃを用いて被写体となる者を撮影（記念撮影）する場合について説明する。
【００８４】
図８は、そのような場合のデジタルカメラ１ｃと端末装置２ｃの動作に係るフローチャートを示した図である。
同図において、Ｓ８０１乃至Ｓ８０４及びＳ８１１乃至Ｓ８１７の処理はデジタルカメラ１ｃの動作を示し、Ｓ８０５乃至Ｓ８１０及びＳ８１８乃至Ｓ８２４の処理は端末装置２ｃの動作を示している。
【００８５】
まず、デジタルカメラ１ｃへの送信先アドレスの入力に係る処理である、デジタルカメラ１ｃによるＳ８０１乃至Ｓ８０４の処理、及び端末装置２ｃへの転送先及び拒否カメラアドレスの入力に係る処理である、端末装置２ｃによるＳ８０５乃至Ｓ８１０の処理が行われる。尚、デジタルカメラ１ｃによるＳ８０１乃至Ｓ８０４の処理と、端末装置２ｃによるＳ８０５乃至Ｓ８１０の処理は、どちらが先に行われても良く、また並列に行われても良い。
【００８６】
まず、デジタルカメラ１ｃにおいて、Ｓ８０１乃至Ｓ８０４の処理では、図６のＳ６０１乃至Ｓ６０４と同様の処理が行われる。
続いて、端末装置２ｃにおいて、Ｓ８０５乃至Ｓ８１０では、図４のＳ４０１乃至Ｓ４０６と同様の処理が行われる。
【００８７】
続いて、撮影者による被写体となる者の撮影に係る処理である、デジタルカメラ１ｃによるＳ８１１乃至Ｓ８１７の処理、及び端末装置２ｃによるＳ８１８乃至Ｓ８２４の処理が行われる。
【００８８】
まず、デジタルカメラ１ｃにおいて、Ｓ８１１乃至Ｓ８１２では、図６のＳ６０７乃至Ｓ６０８と同様の処理が行われる。Ｓ８１３乃至Ｓ８１７では、Ｓ８１４乃至Ｓ８１６の処理が必要に応じて繰り返される。つまり、後述のＳ８１６で送信先とされていない１つの送信先アドレス情報が送信先アドレス記憶部２２から読み出され（Ｓ８１４）、続いて、カメラアドレス記憶部１６からカメラアドレス情報が読み出され（Ｓ８１５）、続いてＳ８１４で読み出された送信先アドレス情報に係る送信先アドレス宛に、Ｓ８１５で読み出されたカメラアドレス情報とＳ８１２で画像記憶部４に記憶された画像データとを含む信号が送信部２３により無線送信される（Ｓ８１６）、といった処理が繰り返されることで、送信先アドレス記憶部２２に記憶されている全ての送信先アドレス情報に係る送信先アドレス宛にそのカメラアドレス情報と画像データとを含む信号の無線送信が行われる。
【００８９】
続いて、端末装置２ｃにおいて、Ｓ８１８乃至Ｓ８２４では、図４のＳ４１１乃至Ｓ４１７と同様の処理が行われる。
以上のような動作により、画像データの送信先となる送信先アドレスをデジタルカメラ１ｃに予め登録しておくことで、その送信先アドレス宛のみに画像データを含む信号が無線送信され、また、拒否カメラアドレスとして端末装置２ｃに信号の受信を拒否したいデジタルカメラのアドレスを予め登録しておくことで、そのデジタルカメラから送信された信号の受信が拒否され、それ以外のデジタルカメラから送信された信号の受信が許可されるようになる。
【００９０】
以上、第４の実施の形態に係る情報システムによれば、デジタルカメラは、特定の端末装置だけに画像データを送信することが可能になり、また、端末装置は、特定のデジタルカメラから送信された画像データを受信しないようにすることが可能になる。よって、撮影者は、特定の端末装置だけに撮影により得られた画像データを送ることができ、また、被写体となった者は、特定のデジタルカメラによる撮影により得られた画像データを受け取らないようにすることができる。
【００９１】
次に、本発明の第５の実施の形態に係る、デジタルカメラと携帯型情報端末装置を含む情報システムについて説明する。本実施形態に係る情報システムは、端末装置を介して、画像データに係る画像の印刷依頼を行うようにした構成である。
【００９２】
図９は、第５の実施の形態に係る情報システムに含まれる、デジタルカメラと端末装置の構成例を示したブロック部である。
同図において、デジタルカメラ１ｄは、第１の実施の形態に係るデジタルカメラ１（図１参照）と同じ構成である。
【００９３】
一方、端末装置２ｄは、使用者の指示に応じて印刷設定（印刷サイズ，印刷枚数等）に係る印刷情報を設定する印刷情報設定部２６と、画像記憶部９に記憶されている画像データに係る画像等の表示を行う表示部２７を新たに備えている点が、第１の実施の形態に係る端末装置２と異なりその他の構成は同じである。但し、端末装置２ｄにおいて、入力部１０は、使用者による当該使用者の氏名，住所，及び印刷依頼先（転送先）の入力指示に応じて、その氏名，住所，及び印刷依頼先に係る情報を入力する。また、使用者情報記憶部１１には、その入力部１０により入力された氏名，住所，及び印刷依頼先に係る情報が記憶される。また、送信部１２は、印刷対象とされた画像データ、印刷情報設定部２６により設定された印刷情報、及び使用者情報記憶部１１に記憶されている氏名及び住所に係る個人情報を含む信号を、使用者情報記憶部１１に記憶されている印刷依頼先に係る情報が示す印刷依頼先（印刷会社の画像印刷システム）へ送信する。
【００９４】
続いて、上述したデジタルカメラ１ｄ及び端末装置２ｄの動作について説明する。
ここでは、その一例として、第１の実施の形態に係る動作の場合と同様にして撮影者がデジタルカメラ１ｄを用いて端末装置２ｄを所持している被写体となる者を撮影（記念撮影）し、そして、端末装置２ｄを介して、撮影により得られた所望の画像データを印刷会社に印刷依頼する場合の動作について説明する。
【００９５】
図１０は、そのような場合のデジタルカメラ１ｄと端末装置２ｄの動作に係るフローチャートを示した図である。
同図において、Ｓ１００３乃至Ｓ１００５の処理はデジタルカメラ１ｄの動作を示し、Ｓ１００１乃至Ｓ１００２、Ｓ１００６乃至Ｓ１００７、及びＳ１００８乃至Ｓ１０１３の処理は端末装置２ｄの動作を示し、Ｓ１０１４乃至Ｓ１０１７の処理は印刷会社の画像印刷システム（不図示）の動作を示している。
【００９６】
まず、端末装置２ｄへの個人情報等（氏名，住所，及び印刷依頼先に係る情報）の入力に係る処理である、端末装置２ｄによるＳ１００１乃至Ｓ１００２の処理が行われる。Ｓ１００１では、端末装置２ｄの使用者（被写体となる者）による、当該使用者の氏名，住所，及び印刷依頼先の入力指示に応じて、個人情報（氏名及び住所に係る情報）と印刷依頼先に係る情報が入力部１０により入力される。Ｓ１００２では、前ステップで入力された個人情報と印刷依頼先に係る情報が使用者情報記憶部１１に記憶される。
【００９７】
続いて、撮影者による被写体となる者の撮影に係る処理である、デジタルカメラ１ｄによるＳ１００３乃至Ｓ１００５の処理、及び端末装置２ｄによるＳ１００６乃至Ｓ１００７の処理が行われる。
【００９８】
まず、デジタルカメラ１ｄにおいて、Ｓ１００３乃至Ｓ１００５では、図２のＳ２０３乃至Ｓ２０５と同様の処理が行われる。
続いて、端末装置２ｄにおいて、Ｓ１００６乃至Ｓ１００７では、図２のＳ２０６乃至Ｓ２０７の処理と同様の処理が行われる。
【００９９】
尚、撮影は１回或いは複数回行われても良く、複数回行われた場合には、画像記憶部９に複数の画像データが記憶されることになる。
また、本例では、端末装置２ｄへの個人情報等の入力に係る処理を行った後に、撮影者による被写体となる者の撮影に係る処理を行ったが、その撮影に係る処理を先に行うようにすることも可能である。
【０１００】
続いて、撮影が終了すると被写体となった者（端末装置２ｄの使用者）による印刷依頼に係る処理である、端末装置２ｄによるＳ１００８乃至Ｓ１０１３の処理が行われる。Ｓ１００８では、画像記憶部９に記憶されている画像データに係る画像が表示部２７によって表示され、使用者の指示に応じて印刷対象とする所望の画像が選択される。尚、この画像の表示の際、画像記憶部９に記憶されている画像データの数が多いときには、使用者のボタン操作等によって、所定数毎の画像データに係る画像が表示されるようになっている。Ｓ１００９では、前ステップで印刷対象として選択された画像が表示され、使用者の指示に応じて、その表示されている画像に対する印刷情報（印刷サイズ，印刷枚数等）が印刷情報設定部２６により設定される。尚、本例においては、印刷会社との印刷費用に係る決済を信販会社を介して行うものとし、前述の印刷情報の設定の際には、使用者による信販会社のクレジットカード番号の入力指示も行われ、そのクレジットカード番号に係るクレジットカード情報（決済情報）も含む印刷情報が設定される。Ｓ１０１０では、使用者情報記憶部１１から、Ｓ１００２で記憶された個人情報（氏名及び住所に係る情報）が読み出される。Ｓ１０１１では、Ｓ１００８で印刷対象として選択された画像に係る画像データと、その画像に対して設定された印刷情報（Ｓ１００９で設定された印刷情報）と、前ステップで読み出された個人情報を含む信号が、使用者情報記憶部１１に記憶されている印刷依頼先に係る情報が示す印刷依頼先（印刷会社の画像印刷システム）宛に送信される。Ｓ１０１２では、Ｓ１００９で設定された印刷情報からクレジットカード情報が取得される。Ｓ１０１３では、前ステップで取得されたクレジットカード情報がその信販会社へ送信される。
【０１０１】
一方で、印刷会社では、画像印刷システムによるＳ１０１４乃至Ｓ１０１７の処理が行われる。Ｓ１０１５では、端末装置２ｄから送信された画像データ，印刷情報，個人情報を含む信号が受信される。Ｓ１０１５では、前ステップで受信された信号に含まれる画像データと印刷情報から、その画像データに係る画像がその印刷情報に従って印刷される。Ｓ１０１６では、Ｓ１０１４で受信された信号に含まれる個人情報から、印刷画像（印刷された画像）の送付先となる氏名及び住所に係る情報が取得される。Ｓ１０１７では、前ステップで取得された情報に係る氏名及び住所宛に印刷画像の送付が行われる。これにより、後日、端末装置２ｄの使用者の住所に印刷画像が届くようになる。尚、印刷会社は、この印刷費用に係る決済を前述の信販会社を介して行うことになる。
【０１０２】
以上のような動作により、端末装置２ｄの画像記憶部９には、撮影により得られた画像データが蓄積されるようになり、その中からの印刷対象とする画像データの選択やその画像データに対する印刷設定等が行われることによって、印刷会社への画像の印刷依頼が行われるようになる。
【０１０３】
以上、第５の実施の形態に係る情報システムによれば、被写体となった者は、撮影により得られた所望の画像の印刷依頼を端末装置１ｄを介して簡易に行うことが可能になる。これにより、例えば、行楽先等にて記念撮影を行い、その場で端末装置１ｄを介して印刷依頼を行うこと等が可能になる。
【０１０４】
次に、本発明の第６の実施の形態に係る、デジタルカメラと携帯型情報端末装置を含む情報システムについて説明する。本実施形態に係る情報システムは、第５の実施の形態に係る情報システムの構成（図９参照）に加えて、更に、端末装置が特定のデジタルカメラから送信された画像データを受信しないようにした構成である。
【０１０５】
図１１は、第６の実施の形態に係る情報システムに含まれる、デジタルカメラと端末装置の構成例を示したブロック部である。
同図において、デジタルカメラ１ｅは、当該デジタルカメラ１ｅのカメラアドレスに係る情報（カメラアドレス情報）が記憶されているカメラアドレス記憶部１６を新たに備えている点が、第５の実施の形態に係るデジタルカメラ１ｄ（図９参照）と異なりその他の構成は同じである。但し、デジタルカメラ１ｅにおいて、送信部５は、画像記憶部４に記憶されている画像データとカメラアドレス記憶部１６に記憶されているカメラアドレス情報とを含む信号を送信する。
【０１０６】
一方、端末装置２ｅは、使用者による拒否カメラアドレスの入力指示に応じてその拒否カメラアドレスに係る拒否カメラアドレス情報を入力する入力部１７と、その入力部１７により入力された拒否カメラアドレス情報が記憶される拒否カメラアドレス記憶部１８を新たに備えている点が、第５の実施の形態に係る端末装置２ｄと異なりその他の構成は同じである。
【０１０７】
但し、端末装置２ｅは、受信部８がカメラアドレス情報を含む信号を受信したときに、そのカメラアドレス情報が、拒否カメラアドレス記憶部１８に記憶されている拒否カメラアドレス情報の何れとも同一でなかったときには、その信号の受信を許可し、その信号に含まれる画像データを画像記憶部９に記憶するようにし、又は、そのカメラアドレス情報が、拒否カメラアドレス記憶部１８に記憶されている拒否カメラアドレス情報の何れかと同一であったときには、その信号の受信を拒否し、その信号に含まれる画像データを画像記憶部９に記憶しないようにする。
【０１０８】
続いて、上述したデジタルカメラ１ｅと端末装置２ｅの動作について説明する。
ここでは、その一例として、第１の実施の形態に係る動作の場合と同様にして撮影者がデジタルカメラ１ｅを用いて端末装置２ｅを所持している被写体となる者を撮影（記念撮影）し、そして、端末装置２ｅを介して、撮影により得られた所望の画像データを印刷会社に印刷依頼する場合の動作について説明する。
【０１０９】
図１２は、そのような場合のデジタルカメラ１ｅと端末装置２ｅの動作に係るフローチャートを示した図である。
同図において、Ｓ１２０７乃至Ｓ１２１０の処理はデジタルカメラ１ｅの動作を示し、Ｓ１２０１乃至Ｓ１２０６、Ｓ１２１１乃至Ｓ１２１６、及びＳ１２１７乃至Ｓ１２２２の処理は端末装置２ｅの動作を示し、Ｓ１２２３乃至Ｓ１２２６の処理は印刷会社の画像印刷システム（不図示）の動作を示している。
【０１１０】
まず、端末装置２ｅへの個人情報（氏名及び住所に係る情報）、印刷依頼先に係る情報、及び拒否カメラアドレスの入力に係る処理である、端末装置２ｅによるＳ１２０１乃至Ｓ１２０６の処理が行われる。Ｓ１２０１乃至Ｓ１２０２では、図１０のＳ１００１乃至Ｓ１００２の処理と同様の処理が行われる。続くＳ１２０３乃至Ｓ１２０６の処理では、図４のＳ４０３乃至Ｓ４０６の処理と同様の処理が行われる。
【０１１１】
続いて、撮影者による被写体となる者の撮影に係る処理である、デジタルカメラ１ｅによるＳ１２０７乃至Ｓ１２１０の処理、及び端末装置２ｅによるＳ１２１１乃至Ｓ１２１６の処理が行われる。
【０１１２】
まず、デジタルカメラ１ｅにおいて、Ｓ１２０７乃至Ｓ１２１０では、図４のＳ４０７乃至Ｓ４１０の処理と同様の処理が行われる。
続いて、端末装置２ｅにおいて、Ｓ１２１１乃至Ｓ１２１６では、図４のＳ４１１乃至Ｓ４１６の処理と同様の処理が行われる。
【０１１３】
尚、撮影は１回或いは複数回行われても良く、拒否カメラアドレスとは異なるカメラアドレスに係るデジタルカメラによって撮影が複数回行われた場合には、画像記憶部９に複数の画像データが記憶されることになる。
【０１１４】
続いて、撮影が終了すると被写体となった者（端末装置２ｅの使用者）による印刷依頼に係る処理である、端末装置２ｅによるＳ１２１７乃至Ｓ１２２２の処理が行われる。このＳ１２１７乃至Ｓ１２２２では、図１０のＳ１００８乃至Ｓ１０１３の処理と同様の処理が行われる。
【０１１５】
一方で、印刷会社では、画像印刷システムによるＳ１２２３乃至Ｓ１２２６の処理が行われる。このＳ１２２３乃至Ｓ１２２６では、図１０のＳ１０１４乃至Ｓ１０１７の処理と同様の処理が行われる。これにより、後日、端末装置２ｅの使用者の住所に印刷画像が届くようになる。
【０１１６】
以上のような動作により、拒否カメラアドレスとして信号の受信を拒否したいデジタルカメラのアドレスを端末装置２ｅに予め登録しておくことで、そのデジタルカメラから送信された信号の受信が拒否され、それ以外のデジタルカメラから送信された信号の受信が許可されるようになり、その受信が許可された信号に含まれる画像データだけが画像記憶部９に記憶されるようになる。
【０１１７】
以上、第６の実施の形態に係る情報システムによれば、端末装置は、特定のデジタルカメラから送信された画像データを受信しないようにすることが可能になり、それ以外のデジタルカメラから送信された画像データだけを、印刷対象となり得る画像データにすることができる。
【０１１８】
次に、本発明の第７の実施の形態に係る、デジタルカメラと携帯型情報端末装置を含む情報システムについて説明する。本実施形態に係る情報システムは、第５の実施の形態に係る情報システムの構成（図９参照）に加えて、更に、デジタルカメラが特定の端末装置だけに画像データを含む信号を送信するようにした構成である。
【０１１９】
図１３は、第７の実施の形態に係る情報システムに含まれる、デジタルカメラと端末装置の構成例を示したブロック部である。
同図において、デジタルカメラ１ｆは、使用者による送信先アドレスの入力指示に応じてその送信先アドレスに係る送信先アドレス情報を入力する入力部２１と、その入力部２１により入力された送信先アドレス情報が記憶される送信先アドレス記憶部２２とを新たに備え、また、送信部５の代わりに、画像記憶部４に記憶されている画像データを含む信号を、送信先アドレス記憶部２２に記憶されている送信先アドレス情報に係る送信先アドレス宛に無線送信する送信部２３を備えている点が、第５の実施の形態に係るデジタルカメラ１ｄ（図９参照）と異なりその他の構成は同じである。
【０１２０】
一方、端末装置２ｆは、受信部８の代わりに、当該端末装置２ｆのアドレス宛に無線送信された信号のみを受信する受信部２４を備えている点が、第５の実施の形態に係る端末装置２ｄと異なりその他の構成は同じである。また、この受信部２４が受信した信号に含まれる画像データは、画像記憶部９に記憶される。
【０１２１】
続いて、上述したデジタルカメラ１ｆ及び端末装置２ｆの動作について説明する。
ここでは、その一例として、第３の実施の形態に係る動作の場合と同様にして撮影者がデジタルカメラ１ｆを用いて被写体となる者を撮影（記念撮影）し、そして、端末装置２ｆを介して、撮影により得られた所望の画像データを印刷会社に印刷依頼する場合の動作について説明する。
【０１２２】
図１４は、そのような場合のデジタルカメラ１ｆと端末装置２ｆの動作に係るフローチャートを示した図である。
同図において、Ｓ１４０１乃至Ｓ１４０４、及びＳ１４０７乃至Ｓ１４１２の処理はデジタルカメラ１ｆの動作を示し、Ｓ１４０５乃至Ｓ１４０６、Ｓ１４１３乃至Ｓ１４１４、及びＳ１４１５乃至Ｓ１４２０の処理は端末装置２ｆの動作を示し、Ｓ１４２１乃至Ｓ１４２４の処理は印刷会社の画像印刷システム（不図示）の動作を示している。
【０１２３】
まず、デジタルカメラ１ｆへの送信先アドレスの入力に係る処理である、デジタルカメラ１ｆによるＳ１４０１乃至Ｓ１４０４の処理、及び端末装置２ｆへの個人情報等の入力に係る処理である、端末装置２ｆによるＳ１４０５乃至Ｓ１４０６の処理が行われる。尚、デジタルカメラ１ｆによるＳ１４０１乃至Ｓ１４０４の処理と、端末装置２ｆによるＳ１４０５乃至Ｓ１４０６の処理は、どちらが先に行われても良く、また並列に行われても良い。
【０１２４】
まず、デジタルカメラ１ｆにおいて、Ｓ１４０１乃至Ｓ１４０４の処理では、図６のＳ６０１乃至Ｓ６０４の処理と同様の処理が行われる。
続いて、端末装置２ｆにおいて、Ｓ１４０５乃至Ｓ１４０６では、図１０のＳ１００１乃至Ｓ１００２と同様の処理が行われる。
【０１２５】
続いて、撮影者による被写体となる者の撮影に係る処理である、デジタルカメラ１ｆによるＳ１４０７乃至Ｓ１４１２の処理、及び端末装置２ｆによるＳ１４１３乃至Ｓ１４１５の処理が行われる。
【０１２６】
まず、デジタルカメラ１ｆにおいて、Ｓ１４０７乃至Ｓ１４１２では、図６のＳ６０７乃至Ｓ６１２と同様の処理が行われる。
続いて、端末装置２ｆにおいて、Ｓ１４１３乃至Ｓ１４１４では、図１０のＳ１００６乃至Ｓ１００７と同様の処理が行われる。
【０１２７】
尚、撮影は１回或いは複数回行われても良く、複数回行われた場合には、画像記憶部９に複数の画像データが記憶されることになる。
続いて、撮影が終了すると被写体となった者（端末装置２ｆの使用者）による印刷依頼に係る処理である、端末装置２ｆによるＳ１４１５乃至Ｓ１４２０の処理が行われる。このＳ１４１５乃至Ｓ１４２０では、図１０のＳ１００８乃至Ｓ１０１３の処理と同様の処理が行われる。
【０１２８】
一方で、印刷会社では、画像印刷システムによるＳ１４２１乃至Ｓ１４２４の処理が行われる。このＳ１４２１乃至Ｓ１４２４では、図１０のＳ１０１４乃至Ｓ１０１７の処理と同様の処理が行われる。これにより、後日、端末装置２ｆの使用者の住所に印刷画像が届くようになる。
【０１２９】
以上のような動作により、画像データの送信先となる送信先アドレスをデジタルカメラ１ｆに予め登録しておくことで、その送信先アドレス宛のみに画像データを含む信号が無線送信されるようになる。
【０１３０】
以上、第７の実施の形態に係る情報システムによれば、デジタルカメラは、特定の端末装置だけに画像データを送信することが可能になる。よって、撮影者は特定の者だけに撮影により得られた画像データを送ることが可能になる。また、端末装置は、当該端末装置宛の信号に含まれる画像データだけを、印刷対象となり得る画像データにすることができる。
【０１３１】
次に、本発明の第８の実施の形態に係る、デジタルカメラと携帯型情報端末装置を含む情報システムについて説明する。本実施形態に係る情報システムは、第７の実施の形態に係るデジタルカメラ（図１３参照）と、第６の実施の形態に係る端末装置（図１１参照）を組み合わせるようにした構成である。
【０１３２】
図１５は、第８の実施の形態に係る情報システムに含まれる、デジタルカメラと端末装置の構成例を示したブロック部である。
同図において、デジタルカメラ１ｇは、当該デジタルカメラ１ｇのカメラアドレスに係る情報（カメラアドレス情報）が記憶されるカメラアドレス記憶部１６を新たに備えている点が、第７の実施の形態に係るデジタルカメラ１ｆ（図１３参照）と異なりその他の構成は同じである。但し、デジタルカメラ１ｇにおいて、送信部２３は、画像記憶部４に記憶されている画像データとカメラアドレス記憶部１６に記憶されているカメラアドレス情報を含む信号を送信する。
【０１３３】
一方、端末装置２ｇは、受信部８の代わりに、当該端末装置２ｇのアドレス宛に無線送信された信号のみを受信する受信部２４を備えている点が、第６の実施の形態に係る端末装置２ｅ（図１１参照）と異なりその他の構成は同じである。
【０１３４】
続いて、上述したデジタルカメラ１ｇ及び端末装置２ｇの動作について説明する。
ここでは、その一例として、第３の実施の形態に係る動作の場合と同様にして撮影者がデジタルカメラ１ｇを用いて被写体となる者を撮影（記念撮影）し、そして、端末装置２ｇを介して、撮影により得られた所望の画像データを印刷会社に印刷依頼する場合の動作について説明する。
【０１３５】
図１６は、そのような場合のデジタルカメラ１ｇと端末装置２ｇの動作に係るフローチャートを示した図である。
同図において、Ｓ１６０７乃至Ｓ１６１０、及びＳ１６１１乃至Ｓ１６１６の処理はデジタルカメラ１ｇの動作を示し、Ｓ１６０１乃至Ｓ１６０６、Ｓ１６１７乃至Ｓ１６２２、及びＳ１６２３乃至Ｓ１６２８の処理は端末装置２ｇの動作を示し、Ｓ１６２９乃至Ｓ１６３２の処理は印刷会社の画像印刷システム（不図示）の動作を示している。
【０１３６】
まず、端末装置２ｇへの個人情報（氏名及び住所に係る情報）、印刷依頼先に係る情報、及び拒否カメラアドレスの入力に係る処理である、端末装置２ｇによるＳ１６０１乃至Ｓ１６０６の処理、及びデジタルカメラ１ｇへの送信先アドレスの入力に係る処理である、デジタルカメラ１ｇによるＳ１６０７乃至Ｓ１６１０の処理が行われる。尚、端末装置２ｇによるＳ１６０１乃至Ｓ１６０６の処理と、デジタルカメラ１ｇによるＳ１６０７乃至Ｓ１６１０の処理は、どちらが先に行われても良く、また並列に行われても良い。
【０１３７】
まず、端末装置２ｇにおいて、Ｓ１６０１乃至Ｓ１６０６の処理では、図１２のＳ１２０１乃至Ｓ１２０６の処理と同様の処理が行われる。
続いて、デジタルカメラ１ｇにおいて、Ｓ１６０７乃至Ｓ１６１０の処理では、図１４のＳ１４０１乃至Ｓ１４０４の処理と同様の処理が行われる。
【０１３８】
続いて、撮影者による被写体となる者の撮影に係る処理である、デジタルカメラ１ｇによるＳ１６１１乃至Ｓ１６１６の処理、及び端末装置２ｇによるＳ１６１７乃至Ｓ１６２２の処理が行われる。
【０１３９】
まず、デジタルカメラ１ｇにおいて、Ｓ１６１１乃至Ｓ１６１６では、図１４のＳ１４０７乃至Ｓ１４１２と同様の処理が行われる。
続いて、端末装置２ｇにおいて、Ｓ１６１７乃至Ｓ１６２２では、図１２のＳ１２１１乃至Ｓ１２１６と同様の処理が行われる。
【０１４０】
尚、撮影は１回或いは複数回行われても良く、拒否カメラアドレスとは異なるカメラアドレスに係るデジタルカメラによって撮影が複数回行われた場合には、画像記憶部９に複数の画像データが記憶されることになる。
【０１４１】
続いて、撮影が終了すると被写体となった者（端末装置２ｇの使用者）による印刷依頼に係る処理である、端末装置２ｇによるＳ１６２３乃至Ｓ１６２８の処理が行われる。このＳ１６２３乃至Ｓ１６２８では、図１０のＳ１０１４乃至Ｓ１０１７の処理と同様の処理が行われる。これにより、後日、端末装置２ｇの使用者の住所に印刷画像が届くようになる。
【０１４２】
以上のような動作により、画像データの送信先となる送信先アドレスをデジタルカメラ１ｇに予め登録しておくことで、その送信先アドレス宛のみに画像データを含む信号がデジタルカメラ１ｇから無線送信され、また、拒否カメラアドレスとして端末装置２ｇに信号の受信を拒否したいデジタルカメラのアドレスを予め登録しておくことで、そのデジタルカメラから送信された信号の受信が拒否され、それ以外のデジタルカメラから送信された信号の受信が許可されるようになり、その受信が許可された信号に含まれる画像データだけが画像記憶部９に記憶されるようになる。
【０１４３】
以上、第８の実施の形態に係る情報システムによれば、デジタルカメラは、特定の端末装置だけに画像データを送信することが可能になり、また、端末装置は、特定のデジタルカメラから送信された画像データを受信しないようにすることが可能になる。よって、当該端末装置宛の信号であって、その特定のデジタルカメラ以外のデジタルカメラから送信された信号に含まれる画像データだけを、印刷対象となり得る画像データにすることができる。
【０１４４】
次に、本発明の第９の実施の形態に係る、デジタルカメラと携帯型情報端末装置を含む情報システムについて説明する。
前述の第２の実施の形態に係る情報システム（図３参照）では、端末装置が、登録されている拒否カメラアドレスに係るデジタルカメラから送信された信号を受信しないようにした構成であったが、本実施形態に係る情報システムでは、それとは異なり、端末装置が、登録されている許可カメラアドレスに係るデジタルカメラから送信された信号だけを受信するようにした構成である。
【０１４５】
図１７は、第９の実施の形態に係る情報システムに含まれる、デジタルカメラと端末装置の構成例を示したブロック部である。
同図において、デジタルカメラ１ｈは、第２の実施の形態に係るデジタルカメラ１ａ（図３参照）と同じ構成である。
【０１４６】
一方、端末装置２ｈは、拒否カメラアドレス記憶部１８の代わりに、入力部１７により入力された許可カメラアドレス情報が記憶される許可カメラアドレス記憶部３１を備えている点が、第２の実施の形態に係る端末装置２ａと異なりその他の構成は同じである。但し、端末装置２ｈにおいて、入力部１７は、使用者による許可カメラアドレスの入力指示に応じてその許可カメラアドレスに係る許可カメラアドレス情報を入力する。また、端末装置２ｈは、受信部８がカメラアドレス情報を含む信号を受信したときに、そのカメラアドレス情報が、許可カメラアドレス記憶部３１に記憶されている許可カメラアドレス情報の何れかと同一であったときには、その信号の受信を許可し、その信号に含まれる画像データを画像記憶部９に記憶するようにし、又は、そのカメラアドレス情報が、許可カメラアドレス記憶部３１に記憶されている許可カメラアドレス情報の何れとも同一でなかったときに、その信号の受信を拒否し、その信号に含まれる画像データを画像記憶部９に記憶しないようにする。
【０１４７】
続いて、上述したデジタルカメラ１ｈと端末装置２ｈの動作について説明する。
ここでは、その一例として、第１の実施の形態に係る動作の場合と同様にして撮影者がデジタルカメラ１ｈを用いて端末装置２ｈを所持している被写体となる者を撮影（記念撮影）する場合の動作について説明する。
【０１４８】
図１８は、そのような場合のデジタルカメラ１ｈと端末装置２ｈの動作に係るフローチャートを示した図である。
同図において、Ｓ１８０１乃至Ｓ１８０６及びＳ１８１１乃至Ｓ１８１７の処理は端末装置２ｈの動作を示し、Ｓ１８０７乃至Ｓ１８１０の処理はデジタルカメラ１ｈの動作を示している。
【０１４９】
まず、端末装置２ｈへの転送先及び許可カメラアドレスの入力に係る処理である、端末装置２ｈによるＳ１８０１乃至Ｓ１８０６の処理が行われる。Ｓ１８０１乃至Ｓ１８０２では、図２のＳ２０１乃至Ｓ２０２と同様の処理が行われる。続くＳ１８０３乃至Ｓ１８０６では、Ｓ１８０４乃至Ｓ１８０５の処理が必要に応じて繰り返される。つまり、使用者による１つの許可カメラアドレスの入力指示が行われる毎に、その許可カメラアドレスに係る許可カメラアドレス情報が入力部１７により入力され（Ｓ１８０４）、その許可カメラアドレス情報が許可カメラアドレス記憶部３１に記憶される（Ｓ１８０５）。
【０１５０】
続いて、撮影者による被写体となる者の撮影に係る処理である、デジタルカメラ１ｈによるＳ１８０７乃至Ｓ１８１０の処理、及び端末装置２ｈによるＳ１８１１乃至Ｓ１８１７の処理が行われる。
【０１５１】
まず、デジタルカメラ１ｈにおいて、Ｓ１８０７乃至Ｓ１８１０では、図４のＳ４０７乃至Ｓ４１０と同様の処理が行われる。
続いて、端末装置２ｈにおいて、Ｓ１８１１では、デジタルカメラ１ｈの送信部５により無線送信されたカメラアドレス情報と画像データを含む信号が受信部８により受信される。続いて、Ｓ１８１２乃至Ｓ１８１５では、Ｓ１８１３乃至Ｓ１８１４の処理が必要に応じて繰り返される。つまり、後述のＳ１８１４で判定対象とされていない１つの許可カメラアドレス情報が許可カメラアドレス記憶部３１から読み出され（Ｓ１８１３）、そのＳ１８１３で読み出された許可カメラアドレス情報とＳ１８１１で受信された信号に含まれるカメラアドレス情報とが一致しているか否かが判定され（Ｓ１８１４）、その判定結果がＹｅｓの場合にはＳ１８１７へ進み、Ｎｏの場合にはＳ１８１４へ戻る。Ｓ１８１６乃至Ｓ１８１７では、図２のＳ２０７乃至Ｓ２０８と同様の処理が行われる。尚、許可カメラアドレス記憶部３１に記憶されている全ての許可カメラアドレス情報の各々についてＳ１８１４の判定が行われ、カメラアドレス情報と一致するものが無かったときには、その信号の受信が拒否され、その信号に含まれる画像データが画像記憶部９に記憶されずに処理が終了する。
【０１５２】
以上のような動作により、許可カメラアドレスとして信号の受信を許可したいデジタルカメラのアドレスを端末装置２ｈに予め登録しておくことで、そのデジタルカメラから送信された信号の受信が許可され、それ以外のデジタルカメラから送信された信号の受信が拒否されるようになる。
【０１５３】
以上、第９の実施の形態に係る情報システムによれば、端末装置は、特定のデジタルカメラから送信された画像データだけを受信するようにすることが可能になる。よって、被写体となった者は、特定のデジタルカメラによる撮影により得られた画像データだけを受け取るようにすることができる。
【０１５４】
次に、本発明の第１０の実施の形態に係る、デジタルカメラと携帯型情報端末装置を含む情報システムについて説明する。
前述の第６の実施形態に係る情報システム（図１１参照）では、端末装置が、登録されている拒否カメラアドレスに係るデジタルカメラから送信された信号を受信しないようにした構成であったが、本実施形態に係る情報システムでは、それとは異なり、端末装置が、登録されている許可カメラアドレスに係るデジタルカメラから送信された信号だけを受信するようにした構成である。
【０１５５】
図１９は、第１０の実施の形態に係る情報システムに含まれる、デジタルカメラと端末装置の構成例を示したブロック部である。
同図において、デジタルカメラ１ｉは、第６の実施の形態に係るデジタルカメラ１ｅ（図１１参照）と同じ構成である。
【０１５６】
一方、端末装置２ｉは、拒否カメラアドレス記憶部１８の代わりに、入力部１７により入力された許可カメラアドレス情報が記憶される許可カメラアドレス記憶部３１を備えている点が、第６の実施の形態に係る端末装置２ｅと異なりその他の構成は同じである。
【０１５７】
但し、端末装置２ｉの入力部１７は、使用者による許可カメラアドレスの入力指示に応じてその許可カメラアドレスに係る許可カメラアドレス情報を入力する。また、端末装置２ｉは、受信部８がカメラアドレス情報を含む信号を受信したときに、そのカメラアドレス情報が、許可カメラアドレス記憶部３１に記憶されている許可カメラアドレス情報の何れかと同一であったときには、その信号の受信を許可し、その信号に含まれる画像データを画像記憶部９に記憶するようにし、又は、そのカメラアドレス情報が、許可カメラアドレス記憶部３１に記憶されている許可カメラアドレス情報の何れとも同一でなかったときに、その信号の受信を拒否し、その信号に含まれる画像データを画像記憶部９に記憶しないようにする。
【０１５８】
続いて、上述したデジタルカメラ１ｉと端末装置２ｉの動作について説明する。
ここでは、その一例として、第１の実施の形態に係る動作の場合と同様にして撮影者がデジタルカメラ１ｉを用いて端末装置２ｉを所持している被写体となる者を撮影（記念撮影）し、そして、端末装置２ｉを介して、撮影により得られた所望の画像データを印刷会社に印刷依頼する場合の動作について説明する。
【０１５９】
図２０は、そのような場合のデジタルカメラ１ｉと端末装置２ｉの動作に係るフローチャートを示した図である。
同図において、Ｓ２００７乃至Ｓ２０１０の処理はデジタルカメラ１ｉの動作を示し、Ｓ２００１乃至Ｓ２００６、Ｓ２０１１乃至Ｓ２０１６、及びＳ２０１７乃至Ｓ２０２２の処理は端末装置２ｉの動作を示し、Ｓ２０２３乃至Ｓ２０２６の処理は印刷会社の画像印刷システム（不図示）の動作を示している。
【０１６０】
まず、端末装置２ｉへの個人情報（氏名及び住所に係る情報）、印刷依頼先に係る情報、及び許可カメラアドレスの入力に係る処理である、端末装置２ｉによるＳ２００１乃至Ｓ２００６の処理が行われる。Ｓ２００１乃至Ｓ２００２では、図１０のＳ１００１乃至Ｓ１００２の処理と同様の処理が行われる。続くＳ２００３乃至Ｓ２００６の処理では、図１８のＳ１８０３乃至Ｓ１８０６の処理と同様の処理が行われる。
【０１６１】
続いて、撮影者による被写体となる者の撮影に係る処理である、デジタルカメラ１ｉによるＳ２００７乃至Ｓ２０１０の処理、及び端末装置２ｉによるＳ２０１１乃至Ｓ２０１６の処理が行われる。
【０１６２】
まず、デジタルカメラ１ｉにおいて、Ｓ２００７乃至Ｓ２０１０では、図１８のＳ１８０７乃至Ｓ１８１０の処理と同様の処理が行われる。
続いて、端末装置２ｉにおいて、Ｓ２０１１乃至Ｓ２０１６では、図１８のＳ１８１１乃至Ｓ１８１６の処理と同様の処理が行われる。
【０１６３】
尚、撮影は１回或いは複数回行われても良く、許可カメラアドレスに係るデジタルカメラによって撮影が複数回行われた場合には、画像記憶部９に複数の画像データが記憶されることになる。
【０１６４】
続いて、撮影が終了すると被写体となった者（端末装置２ｉの使用者）による印刷依頼に係る処理である、端末装置２ｉによるＳ２０１７乃至Ｓ２０２２の処理が行われる。このＳ２０１７乃至Ｓ２０２２では、図１０のＳ１００８乃至Ｓ１０１３の処理と同様の処理が行われる。
【０１６５】
一方で、印刷会社では、画像印刷システムによるＳ２０２３乃至Ｓ２０２６の処理が行われる。このＳ２０２３乃至Ｓ２０２６では、図１０のＳ１０１４乃至Ｓ１０１７の処理と同様の処理が行われる。これにより、後日、端末装置２ｉの使用者の住所に印刷画像が届くようになる。
【０１６６】
以上のような動作により、許可カメラアドレスとして信号の受信を許可したいデジタルカメラのアドレスを端末装置２ｉに予め登録しておくことで、そのデジタルカメラから送信された信号の受信が許可され、それ以外のデジタルカメラから送信された信号の受信が拒否されるようになり、その受信が許可された信号に含まれる画像データだけが画像記憶部９に記憶されるようになる。
【０１６７】
以上、第１０の実施の形態に係る情報システムによれば、端末装置は、特定のデジタルカメラから送信された信号だけを受信するようにすることが可能になり、その画像データだけを、印刷対象となり得る画像データにすることができる。
【０１６８】
次に、本発明の第１１の実施の形態に係る、デジタルカメラと携帯型情報端末装置を含む情報システムについて説明する。
前述の第５の実施の形態に係る情報システム（図９参照）では、画像の印刷依頼を端末装置から行うものであったが、本実施形態に係る情報システムでは、その印刷依頼を、街頭等に設置されている、いわゆるフォトキオスクのような装置（本例では画像システム端末装置（以下単に画像システム端末という））から行うようにした構成である。
【０１６９】
図２１は、第１１の実施の形態に係る情報システムに含まれる、デジタルカメラ、端末装置、画像システム端末装置、及び画像システムの構成例を示したブロック部である。
同図において、デジタルカメラ１ｊ及び端末装置２ｊは、第１の実施の形態に係るデジタルカメラ１と端末装置２（図１参照）と同じ構成である。但し、端末装置２ｊにおいて、使用者情報記憶部１１には、使用者によるユーザＩＤの入力指示に応じて、そのユーザＩＤに係る情報が記憶される。尚、このユーザＩＤは、その使用者を識別するための使用者識別情報であり、後述する画像システム３７において、顧客ＤＢ４８に記憶されている顧客（使用者）の氏名及び住所に係る情報を取得する際や、後述する画像システム端末３６において、画像参照部４０が参照を可能にする画像の画像データを画像システム３７の画像ＤＢ４６から取得する際等に使用される。また、使用者情報記憶部１１には、送信先情報（転送先情報）として、画像システム３７のアドレスに係る画像システムアドレス情報が、記憶されている。また、端末装置２ｊの送信部１２は、画像記憶部９に記憶された画像データと使用者情報記憶部１１に記憶されているユーザＩＤに係る情報を含む信号を、使用者情報記憶部１１に記憶されている画像システムアドレス情報に係るアドレス宛に送信する。
【０１７０】
一方、画像システム端末装置３６は、使用者による当該使用者の氏名，住所，及びユーザＩＤの入力指示に応じてその氏名，住所，及びユーザＩＤに係る情報（これらを個人情報ともいう）を設定する個人情報設定部３８と、その個人情報設定部３８により設定された個人情報を含む信号を画像システム３７へ無線送信する送信部３９と、使用者によるユーザＩＤの入力に応じて、画像システム３７の画像ＤＢ（データベース）４６に記憶されている、そのユーザＩＤに関連付けされている画像データに基づく画像を表示する等してその画像の参照を可能にする画像参照部４０と、使用者による印刷指示に応じて、画像参照部４０により参照可能となった画像の中から印刷対象として選択された画像に係る画像データの識別ＩＤ，その画像に対する印刷設定（印刷サイズや印刷枚数等），及び前述のユーザＩＤ等を含む印刷情報を設定する印刷情報設定部４１と、その印刷情報設定部４１により設定された印刷情報を含む信号を画像システム３７に無線送信する送信部４２と、当該画像システム端末３６の動作を制御するためのコントロールプログラムが記憶されているプログラムメモリ４３と、そのプログラムメモリ４３に記憶されているコントロールプログラムを読み出し実行することにより当該画像システム端末３６全体の動作を制御するコントローラ（ＣＰＵ）４４等を有しいている。尚、前述の画像参照部４０が参照可能にする画像の画像データは、画像システム３７から送信されるものである。また、本例では、印刷を依頼する印刷会社との印刷費用に係る決済を信販会社を介して行うものとし、前述の印刷情報設定部４１により設定される印刷情報には、前述の使用者による印刷指示の際に併せて入力指示された信販会社のクレジットカード番号に係るクレジットカード情報（決済情報）も含まれている。
【０１７１】
このような構成の画像システム端末３６は、例えば、いわゆるフォトキオスクのように、街頭等に設置されている。
また、画像システム３７は、端末装置２ｊの送信部１２から送信された画像データ及びユーザＩＤに係る情報を含む信号を受信する受信部４５と、受信部４５により受信された信号に含まれる画像データとユーザＩＤに係る情報が、関連付けされると共にその画像データにその画像データを識別するための識別ＩＤが付されて記憶される画像ＤＢ４６と、画像システム端末３６の送信部３９から送信された個人情報を含む信号を受信する受信部４７と、受信部４７により受信された信号に含まれる個人情報が記憶される顧客ＤＢ（データベース）４８と、画像システム端末３６の送信部４２から送信された印刷情報を含む信号を受信する受信部４９と、受信部４９により受信された印刷情報に基づいて、画像データの識別ＩＤに応じて画像ＤＢ４６から読み出した画像データ，該画像データの画像に対する印刷設定に係る情報，及びユーザＩＤに応じて顧客ＤＢ４８から読み出した氏名及び住所に係る情報を、印刷依頼に係る印刷情報として設定する印刷情報設定部５０と、その印刷情報設定部５０により設定された印刷依頼に係る印刷情報を印刷会社へ送信する送信部５１と、当該画像システム３７の動作を制御するためのコントロールプログラムが記憶されているプログラムメモリ５２と、そのプログラムメモリ５２に記憶されているコントロールプログラムを読み出し実行することにより当該画像システム３７全体の動作を制御するコントローラ（ＣＰＵ）５３等を有しいている。
【０１７２】
このような構成の画像システム３７は、例えば、前述の画像システム端末３６の近隣、或いは遠隔の地に設置されている。
続いて、上述したデジタルカメラ１ｊ、端末装置２ｊ、画像システム端末３６、及び画像システム３７の動作について説明する。
【０１７３】
ここでは、その一例として、第１の実施の形態に係る動作の場合と同様にして撮影者がデジタルカメラ１ｊを用いて端末装置２ｊを所持している被写体となる者を撮影（記念撮影）し、その後、画像システム端末３６を介して、撮影により得られた所望の画像データを印刷会社に印刷依頼する場合の動作について説明する。
【０１７４】
図２２は、そのような場合のデジタルカメラ１ｊ、端末装置２ｊ、画像システム端末３６、及び画像システム３７の動作に係るフローチャートを示した図である。
同図において、Ｓ２２０７乃至Ｓ２２０９の処理はデジタルカメラ１ｊの動作を示し、Ｓ２２０５乃至Ｓ２２０６及びＳ２２１０乃至Ｓ２２１２の処理は端末装置２ｊの動作を示し、Ｓ２２０１乃至Ｓ２２０２及びＳ２２１５乃至Ｓ２２１７の処理は画像システム端末３６の動作を示し、Ｓ２２０３乃至Ｓ２２０４，Ｓ２２１３乃至Ｓ２２１４，及びＳ２２１８乃至Ｓ２２２２の処理は画像システム３７の動作を示し、Ｓ２２２３乃至Ｓ２２２６の処理は印刷会社の画像印刷システム（不図示）の動作を示している。
【０１７５】
まず、画像システム端末３６への個人情報（氏名，住所，及びユーザＩＤに係る情報）の入力に係る処理である、画像システム端末３６によるＳ２２０１乃至Ｓ２２０２の処理が行われる。Ｓ２２０１では、印刷依頼をする者（端末装置２ｊの使用者）による、当該使用者の氏名，住所，及びユーザＩＤの入力指示に応じて、氏名，住所，及びユーザＩＤに係る個人情報が、個人情報設定部３８により設定される。Ｓ２２０２では、前ステップで設定された個人情報を含む信号が送信部３９により画像システム３７へ送信される。
【０１７６】
続いて、画像システム３７への個人情報の登録に係る処理である、画像システム３７によるＳ２２０３乃至Ｓ２２０４の処理が行われる。Ｓ２２０３では、画像システム端末３６の送信部３９から送信された個人情報を含む信号が受信部４７により受信される。Ｓ２２０４では、前ステップで受信された信号に含まれる個人情報が顧客ＤＢ４８に記憶される。
【０１７７】
続いて、端末装置２ｊへの個人情報（ユーザＩＤ）の入力に係る処理である、端末装置２ｊによるＳ２２０５乃至Ｓ２２０６の処理が行われる。Ｓ２２０５では、端末装置２ｊの使用者による、当該使用者のユーザＩＤ（前述のＳ２２０１で入力指示されたユーザＩＤと同じ）の入力指示に応じて、ユーザＩＤに係る個人情報が入力部１０により入力される。Ｓ２２０６では、前ステップで入力された個人情報が使用者情報記憶部１１に記憶される。
【０１７８】
続いて、撮影者による被写体となる者の撮影に係る処理である、デジタルカメラ１ｊによるＳ２２０７乃至Ｓ２２０９の処理、端末装置２ｊによるＳ２２１０乃至Ｓ２２１２の処理、及び画像システム３７によるＳ２２１３乃至Ｓ２２１４の処理が行われる。
【０１７９】
まず、デジタルカメラ１ｊにおいて、Ｓ２２０７乃至Ｓ２２０９では、図２のＳ２０３乃至Ｓ２０５の処理と同様の処理が行われる。
続いて、端末装置２ｊにおいて、Ｓ２２１０乃至Ｓ２２１１では、図２のＳ２０６乃至Ｓ２０７の処理と同様の処理が行われる。Ｓ２２１２では、前ステップで画像記憶部９に記憶された画像データとＳ２２０６で使用者情報記憶部１１に記憶された個人情報（ユーザＩＤ）とが、送信部１２によって、使用者情報記憶部１１に記憶されている画像システムアドレス情報に係る画像システム３７のアドレス宛に送信される。
【０１８０】
続いて、画像システム３７において、Ｓ２２１３では、端末装置２ｊの送信部１２から送信された画像データ及び個人情報（ユーザＩＤ）を含む信号が受信部４５によって受信される。Ｓ２２１４では、前ステップで受信された信号に含まれる画像データと個人情報（ユーザＩＤ）が関連付けされると共に、その画像データに識別ＩＤが付されて、画像ＤＢ４６に記憶される。
【０１８１】
尚、撮影は１回或いは複数回行われても良く、複数回行われた場合には、画像ＤＢ４６に複数の画像データが記憶されることになる。
続いて、撮影が終了すると被写体となった者（端末装置２ｉの使用者）による印刷依頼に係る処理である、画像システム端末３６によるＳ２２１５乃至Ｓ２２１７の処理、及び画像システム３７によるＳ２２１８乃至Ｓ２２２２の処理が行われる。
【０１８２】
まず、画像システム端末３６において、Ｓ２２１５では、使用者によるユーザＩＤ等の入力によって、そのユーザＩＤが画像システム３７へ送信され、画像システム３７によって、その画像ＤＢ４６から読み出された、そのユーザＩＤに関連付けされている画像データとその画像データの識別ＩＤが画像システム端末３６へ送信され、その画像データに基づく画像が表示される等して、画像参照部４０によって画像の参照が可能にされる。尚、ユーザＩＤに関連付けされている画像データが画像ＤＢ４６に複数記憶されていたときには、それらの全てについての画像の参照が可能にされる。Ｓ２２１６では、使用者による、印刷画像の選択、印刷設定、ユーザＩＤ、クレジットカード番号等に係る入力指示に応じて、前ステップで参照可能となった画像の中から印刷対象として選択された画像に係る画像データの識別ＩＤ，その画像に対する印刷設定（印刷サイズや印刷枚数等）に係る情報，前述のユーザＩＤに係る情報，及び当該使用者のクレジットカード情報等を含む印刷情報が印刷情報設定部４１により設定される。Ｓ２２１７では、前ステップで設定された印刷情報が送信部４２によって画像システム３７へ送信される。
【０１８３】
続いて、画像システム３７において、Ｓ２２１８では、画像システム端末３６の送信部４２から送信された印刷情報が受信部４９によって受信され、その印刷情報が取得される。Ｓ２２１９では、前ステップで取得された印刷情報に含まれる画像データの識別ＩＤに対応する画像データが画像ＤＢ４６から読み出される。Ｓ２２２０では、Ｓ２２１８で取得された印刷情報に含まれるユーザＩＤに対応する、印刷注文者情報（個人情報）である氏名及び住所に係る情報が顧客ＤＢ４８から読み出される。Ｓ２２２１では、前ステップで読み出された印刷注文者情報とＳ２２１９で読み出された画像データとＳ２２１８で取得された印刷情報に含まれる印刷設定に係る情報が、印刷会社へ印刷依頼するための印刷情報として印刷情報設定部５０により設定され、その印刷依頼に係る印刷情報を含む信号が送信部５１により印刷会社の画像印刷システムへ送信される。Ｓ２２２２では、Ｓ２２１８で取得された印刷情報に含まれるクレジットカード情報がその信販会社へ送信される。
【０１８４】
一方で、印刷会社では、画像印刷システムによるＳ２２２３乃至Ｓ２２２６の処理が行われる。Ｓ２２２３では、画像システム端末３６から送信された印刷依頼に係る印刷情報を含む信号が受信される。Ｓ２２２４では、前ステップで受信された信号に含まれる画像データと印刷設定に係る情報から、その画像データに係る画像がその印刷設定に係る情報に従って印刷される。Ｓ２２２５では、Ｓ２２２３で受信された信号に含まれる印刷注文者情報から、印刷画像の送付先となる氏名及び住所に係る情報が取得される。Ｓ２２２６では、前ステップで取得された情報に係る氏名及び住所宛に印刷画像の送付が行われる。これにより、後日、端末装置２ｊの使用者の住所に印刷画像が届くようになる。尚、印刷会社は、この印刷費用に係る決済を前述の信販会社を介して行うことになる。
【０１８５】
以上の動作により、画像システム端末３６を介して個人情報が入力されることで、その個人情報が画像システム３７の顧客ＤＢ４８に登録され、また、デジタルカメラ１ｊによって撮影が行われることで、得られた画像データが端末装置２ｊを介して画像システム３７の画像ＤＢ４６に記憶され、そして、画像システム端末３６を介して、印刷対象とする所望の画像データの選択やその画像データに対する印刷設定等に係る入力指示が行われることによって、印刷会社への画像の印刷依頼が行われるようになる。
【０１８６】
以上、第１１の実施の形態に係る情報システムによれば、被写体となった者は、撮影により得られた所望の画像の印刷依頼を、街頭等に設置されている画像システム端末３６を介して簡易に行うことが可能になる。また、個人情報が顧客ＤＢ４８に記憶されるようになるので、画像システムを運営する者は、顧客情報の収集を行うことが可能になる。
【０１８７】
次に、本発明の第１２の実施の形態に係る、デジタルカメラと携帯型情報端末装置を含む情報システムについて説明する。本実施形態に係る情報システムは、前述の第１１の実施の形態に係る情報システム（図２１参照）において、デジタルカメラ１ｊと端末装置２ｊの代わりに、前述の第４の実施の形態に係る情報システム（図７参照）のデジタルカメラ１ｃと端末装置２ｃを有するようにした構成である。
【０１８８】
図２３は、第１２の実施の形態に係る情報システムに含まれる、デジタルカメラ、端末装置、画像システム端末、及び画像システムの構成例を示したブロック図である。
同図において、デジタルカメラ１ｋ及び端末装置２ｋは、第４の実施の形態に係るデジタルカメラ１ｃと端末装置２ｃ（図７参照）と同じ構成である。但し、端末装置２ｋにおいて、使用者情報記憶部１１には、使用者によるユーザＩＤの入力指示に応じて、そのユーザＩＤに係る情報が記憶される。また、使用者情報記憶部１１には、送信先情報（転送先情報）として、画像システム３７ａのアドレスに係る画像システムアドレス情報が記憶されている。また、端末装置２ｋの送信部１２は、画像記憶部９に記憶された画像データと使用者情報記憶部１１に記憶されているユーザＩＤに係る情報を含む信号を、使用者情報記憶部１１に記憶されている画像システムアドレス情報に係るアドレス宛に送信する。
【０１８９】
一方、画像システム端末３６ａ及び画像システム３７ａは、第１１の実施の形態に係る画像システム端末３６及び画像システム３７（図２１参照）と同じ構成である。
続いて、上述したデジタルカメラ１ｋ、端末装置２ｋ、画像システム端末３６ａ、及び画像システム３７ａの動作について説明する。
【０１９０】
ここでは、その一例として、第３の実施の形態に係る動作の場合と同様にして撮影者がデジタルカメラ１ｋを用いて被写体となる者を撮影（記念撮影）し、その後、画像システム端末３６ａを介して、撮影により得られた所望の画像データを印刷会社に印刷依頼する場合の動作について説明する。
【０１９１】
図２４及び図２５は、そのような場合のデジタルカメラ１ｋ、端末装置２ｋ、画像システム端末３６ａ、及び画像システム３７ａの動作に係るフローチャートを示した図である。
【０１９２】
図２４及び図２５において、Ｓ２４０５乃至Ｓ２４０８及びＳ２４１５乃至Ｓ２４２１の処理はデジタルカメラ１ｋの動作を示し、Ｓ２４０９乃至Ｓ２４１４及びＳ２４２２乃至Ｓ２４２８の処理は端末装置２ｋの動作を示し、Ｓ２４０１乃至Ｓ２４０２及びＳ２５０１乃至Ｓ２５０３の処理は画像システム端末３６ａの動作を示し、Ｓ２４０３乃至Ｓ２４０４，Ｓ２４２９乃至Ｓ２４３０，及びＳ２５０４乃至Ｓ２５０８の処理は画像システム３７ａの動作を示し、Ｓ２５０９乃至Ｓ２５１２の処理は印刷会社の画像印刷システム（不図示）の動作を示している。
【０１９３】
まず、画像システム端末３６ａへの個人情報（氏名，住所，及びユーザＩＤに係る情報）の入力に係る処理である、画像システム端末３６ａによるＳ２４０１乃至Ｓ２４０２の処理が行われる。このＳ２４０１乃至Ｓ２４０２では、図２２のＳ２２０１乃至Ｓ２２０２の処理と同様の処理が行われる。
【０１９４】
続いて、画像システム３７ａへの個人情報の登録に係る処理である、画像システム３７ａによるＳ２４０３乃至Ｓ２４０４の処理が行われる。このＳ２４０３乃至Ｓ２４０４では、図２２のＳ２２０３乃至Ｓ２２０４の処理と同様の処理が行われる。
【０１９５】
続いて、デジタルカメラ１ｋへの送信先アドレスの入力に係る処理である、デジタルカメラ１ｋによるＳ２４０５乃至Ｓ２４０８の処理が行われる。このＳ２４０５乃至Ｓ２４０８では、図８のＳ８０１乃至Ｓ８０４の処理と同様の処理が行われる。
【０１９６】
続いて、端末装置２ｋへの個人情報及び拒否カメラアドレスの入力に係る処理である、端末装置２ｋによるＳ２４０９乃至Ｓ２４１４の処理が行われる。まず、Ｓ２４０９乃至Ｓ２４１０では、図２２のＳ２２０５乃至Ｓ２２０６の処理と同様の処理が行われる。Ｓ２４１１乃至Ｓ２４１４では、図８のＳ８０７乃至Ｓ８１０の処理と同様の処理が行われる。
【０１９７】
尚、画像システム端末３６ａ及び画像システム３７ａによるＳ２４０１乃至Ｓ２４０２及びＳ２４０３乃至Ｓ２４０４の処理と、デジタルカメラ１ｋによるＳ８０１乃至Ｓ８０４の処理と、端末装置２ｋによるＳ８０５乃至Ｓ９１０の処理は、何れが先に行われても良く、また並列に行われても良い。
【０１９８】
続いて、撮影者による被写体となる者の撮影に係る処理である、デジタルカメラ１ｋによるＳ２４１５乃至Ｓ２４２１の処理、端末装置２ｋによるＳ２４２２乃至Ｓ２４２８の処理、及び画像システム３７ａによるＳ２４２９乃至Ｓ２４３０の処理が行われる。
【０１９９】
まず、デジタルカメラ１ｋにおいて、Ｓ２４１５乃至Ｓ２４２１では、図８のＳ８１１乃至Ｓ８１７の処理と同様の処理が行われる。
続いて、端末装置２ｋにおいて、Ｓ２４２２乃至Ｓ２４２７では、図８のＳ８１８乃至Ｓ８２３の処理と同様の処理が行われる。Ｓ２４２８では、図２２のＳ２２１２の処理と同様の処理が行われる。
【０２００】
続いて、画像システム３７ａにおいて、Ｓ２４２９乃至Ｓ２４３０では、図２２のＳ２２１３乃至Ｓ２２１４の処理と同様の処理が行われる。
尚、撮影は１回若しくは複数回行われても良く、複数回行われた場合には、画像ＤＢ４６に複数の画像データが記憶されることになる。
【０２０１】
続いて、撮影が終了すると被写体となった者（端末装置２ｋの使用者）による印刷依頼に係る処理である、画像システム端末３６ａによるＳ２５０１乃至Ｓ２５０３の処理、及び画像システム３７ａによるＳ２５０４乃至Ｓ２５０８の処理が行われる。
【０２０２】
まず、画像システム端末３６ａにおいて、Ｓ２５０１乃至Ｓ２５０３では、図２２のＳ２２１５乃至Ｓ２２１７の処理と同様の処理が行われる。
続いて、画像システム３７ａにおいて、Ｓ２５０４乃至Ｓ２５０８の処理では、図２２のＳ２２１８乃至Ｓ２２２２の処理と同様の処理が行われる。
【０２０３】
一方で、印刷会社では、画像印刷システムによるＳ２５０９乃至Ｓ２５１２の処理が行われる。このＳ２５０９乃至Ｓ２５１２では、図２２のＳ２２２３乃至Ｓ２２２６の処理と同様の処理が行われる。これにより、後日、端末装置２ｋの使用者の住所に印刷画像が届くようになる。
【０２０４】
以上のような動作により、画像データの送信先となる送信先アドレスをデジタルカメラ１ｋに予め登録しておくことで、その送信先アドレス宛のみに画像データを含む信号がデジタルカメラ１ｋから無線送信され、また、拒否カメラアドレスとして端末装置２ｋに信号の受信を拒否したいデジタルカメラのアドレスを予め登録しておくことで、そのデジタルカメラから送信された信号の受信が拒否され、それ以外のデジタルカメラから送信された信号の受信が許可されるようになり、その受信が許可された信号に含まれる画像データだけが画像システム３７ａの画像ＤＢ４６に記憶されるようになる。
【０２０５】
以上、第１２の実施の形態に係る情報システムによれば、デジタルカメラは、特定の端末装置だけに画像データを送信することが可能になり、また、端末装置は、特定のデジタルカメラから送信された画像データを受信しないようにすることが可能になる。よって、当該端末装置宛の信号であって受信が許可された信号に含まれる画像データだけを、印刷対象となり得る画像データにすることができる。
【０２０６】
次に、本発明の第１３の実施の形態に係る、デジタルカメラと携帯型情報端末装置を含む情報システムについて説明する。本実施形態に係る情報システムは、端末装置が撮影により得られた画像データを蓄積（記憶）するようにし、後に、通信ケーブルで端末装置と画像システム端末を電気的に有線接続し、その画像システム端末を介して印刷会社への印刷依頼を行うようにした構成である。
【０２０７】
図２６は、第１３の実施の形態に係る情報システムに含まれる、デジタルカメラ、端末装置、及び画像システム端末の構成例を示したブロック図である。
同図において、デジタルカメラ１ｌは、第１の実施の形態に係るデジタルカメラ１（図１参照）の構成と同じである。
【０２０８】
端末装置２ｌは、第１の実施の形態に係る端末装置２において、入力部１０、使用者情報記憶部１１、及び送信部１２を省いた構成である。尚、端末装置２ｌは、画像記憶部９に記憶されている画像データの印刷依頼が行われる際には、通信ケーブルを介して画像システム端末３６ｂに電気的に有線接続されて使用される。
【０２０９】
一方、画像システム端末３６ｂは、使用者による入力指示に応じて、通信ケーブルを介して接続されている端末装置２ｌの画像記憶部９に記憶されている画像データの中から印刷対象として選択された画像データと、該画像データの画像に対する印刷設定（印刷サイズや印刷枚数等）に係る情報，及び個人情報（氏名，住所，及びクレジットカード番号等の情報）を含む印刷情報を設定する印刷情報設定部５６と、その印刷情報設定部５６により設定された印刷情報を含む信号を印刷会社の画像印刷システム（不図示）宛に無線送信する送信部５７等を有している。
【０２１０】
このような構成の画像システム端末３６ｂは、例えば、いわゆるフォトキオスクのように、街頭等に設置されている。
続いて、上述したデジタルカメラ１ｌ、端末装置２ｌ、及び画像システム端末３６ｂの動作について説明する。
【０２１１】
ここでは、その一例として、第１の実施の形態に係る動作の場合と同様にして撮影者がデジタルカメラ１ｌを用いて端末装置２ｌを所持している被写体となる者を撮影（記念撮影）し、そして、画像システム端末３６ｂを介して、撮影により得られた所望の画像データを印刷会社に印刷依頼する場合の動作について説明する。
【０２１２】
図２７は、そのような場合のデジタルカメラ１ｌ、端末装置２ｌ、及び画像システム端末３６ｂの動作に係るフローチャートを示した図である。
同図において、Ｓ２７０１乃至Ｓ２７０３処理はデジタルカメラ１ｌの動作を示し、Ｓ２７０４乃至Ｓ２７０５の処理は端末装置２ｌの動作を示し、Ｓ２７０６乃至Ｓ２７１０の処理は画像システム端末３６ｂの動作を示し、Ｓ２７１１乃至Ｓ２７１４の処理は印刷会社の画像印刷システム（不図示）の動作を示している。
【０２１３】
まず、撮影者による被写体となる者の撮影に係る処理である、デジタルカメラ１ｌによるＳ２７０１乃至Ｓ２７０３の処理、端末装置２ｌによるＳ２７０４乃至Ｓ２７０５の処理が行われる。
【０２１４】
デジタルカメラ１ｌにおいて、Ｓ２７０１乃至Ｓ２７０３では、図２のＳ２０３乃至Ｓ２０５の処理と同様の処理が行われる。
続いて、端末装置２ｌにおいて、Ｓ２７０４乃至Ｓ２７０５では、図２の２０６乃至Ｓ２０７の処理と同様の処理が行われる。
【０２１５】
尚、撮影は１回或いは複数回行われても良く、複数回行われた場合には、画像記憶部９に複数の画像データが記憶されることになる。
続いて、撮影が終了すると被写体となった者（端末装置２ｌの使用者）による印刷依頼に係る処理である、画像システム端末３６ｂによるＳ２７０６乃至Ｓ２７１０の処理が行われる。
【０２１６】
画像システム端末３６ｂにおいて、Ｓ２７０６では、使用者によって通信ケーブルにより当該画像システム端末３６ｂに端末装置が有線接続されたことで、当該画像システム端末３６ｂに端末装置２ｌが電気的に接続されたことが検出される。Ｓ２７０７では、その通信ケーブルを介して端末装置２ｌの画像記憶部９に記憶されている画像データが取得される。Ｓ２７０８では、使用者によって、前ステップで取得された画像データの中から印刷対象とする画像データの選択指示、印刷対象とする画像データに係る画像に対する印刷設定（印刷サイズや印刷枚数等）指示、使用者の氏名及び住所の入力、及び使用者のクレジットカード番号の入力等が行われことに応じて、印刷対象とする画像データ，印刷設定に係る情報，個人情報（氏名及び住所に係る情報），及びクレジットカード情報が、印刷情報として印刷情報設定部５６により設定される。Ｓ２７０９では、前ステップで設定された印刷情報が送信部５７によって印刷会社の画像印刷システムへ送信される。Ｓ２７１０では、Ｓ２７０８で入力されたクレジットカード情報がその信販会社へ送信される。
【０２１７】
一方で、印刷会社では、画像印刷システムによるＳ２７１１乃至Ｓ２７１４の処理が行われる。Ｓ２７１１では、Ｓ２７０９で端末装置２ｌから送信された印刷情報を含む信号が受信される。Ｓ２７１２では、前ステップで受信された信号に含まれる画像データと印刷設定に係る情報から、その画像データに係る画像がその印刷設定に係る情報に従って印刷される。Ｓ２７１３では、Ｓ２７１１で受信された信号に含まれる個人情報から、印刷画像の送付先となる氏名及び住所に係る情報が取得される。Ｓ２７１４では、前ステップで取得された情報に係る氏名及び住所宛に印刷画像の送付が行われる。これにより、後日、端末装置２ｌの使用者の住所に印刷画像が届くようになる。尚、印刷会社は、この印刷費用に係る決済を前述の信販会社を介して行うことになる。
【０２１８】
以上の動作により、デジタルカメラ１ｌによって撮影が行われることで、得られた画像データが端末装置２ｌの画像記憶部９に記憶される。そして、通信ケーブルによって端末装置２ｌが画像システム端末３６ｂに有線接続された上で、その画像システム端末３６ｂを介して、画像記憶部９に記憶された画像データの中から印刷対象とする所望の画像データの選択やその画像データに対する印刷設定等の入力指示行われることによって、印刷会社への画像の印刷依頼が行われるようになる。
【０２１９】
以上、第１３の実施の形態に係る情報システムによれば、被写体となった者は、街頭等に設置されている画像システム端末に端末装置を有線接続した後に、その画像システム端末を介して、撮影により得られた所望の画像の印刷依頼を簡易に行うことが可能になる。
【０２２０】
次に、本発明の第１４の実施の形態に係る、デジタルカメラと携帯型情報端末装置を含む情報システムについて説明する。本実施形態に係る情報システムは、第４の実施の形態に係る情報システム（図７参照）と第１３の実施の形態に係る画像システム端末（図２６参照）を組み合わせるようにした構成である。
【０２２１】
図２８は、第１４の実施の形態に係る情報システムに含まれる、デジタルカメラ、端末装置、及び画像システム端末の構成例を示したブロック図である。
同図において、デジタルカメラ１ｍは、第４の実施の形態に係るデジタルカメラ１ｃ（図７参照）の構成と同じである。
【０２２２】
また、端末装置２ｍは、第４の実施の形態に係る端末装置２ｃにおいて、入力部１０，使用者情報記憶部１１，送信部１２を省いた構成である。尚、端末装置２ｍは、画像記憶部９に記憶されている画像データの印刷依頼が行われる際には、通信ケーブルを介して画像システム端末３６ｃに電気的に有線接続されて使用される。
【０２２３】
また、画像システム端末３６ｃは、第１３の実施の形態に係る画像システム端末３６ｂ（図２６参照）と同じ構成である。
続いて、上述したデジタルカメラ１ｍ、端末装置２ｍ、及び画像システム端末３６ｃの動作について説明する。
【０２２４】
ここでは、その一例として、第３の実施の形態に係る動作の場合と同様にして撮影者がデジタルカメラ１ｍを用いて被写体となる者を撮影（記念撮影）し、そして、画像システム端末３６ｃを介して、撮影により得られた所望の画像データを印刷会社に印刷依頼する場合の動作について説明する。
【０２２５】
図２９は、そのような場合のデジタルカメラ１ｍ、端末装置２ｍ、及び画像システム端末３６ｃの動作に係るフローチャートを示した図である。
同図において、Ｓ２９０１乃至Ｓ２９０４及びＳ２９０９乃至Ｓ２９１５の処理はデジタルカメラ１ｍの動作を示し、Ｓ２９０５乃至Ｓ２９０８及びＳ２９１６乃至Ｓ２９２１の処理は端末装置２ｍの動作を示し、Ｓ２９２２乃至Ｓ２９２６の処理は画像システム端末３６ｃの動作を示し、Ｓ２９２７乃至Ｓ２９３０の処理は印刷会社の画像印刷システム（不図示）の動作を示している。
【０２２６】
まず、デジタルカメラ１ｍへの送信先アドレスの入力に係る処理である、デジタルカメラ１ｍによるＳ２９０１乃至Ｓ２９０４の処理、及び端末装置２ｍへの拒否カメラアドレスの入力に係る処理である、端末装置２ｍによるＳ２９０５乃至Ｓ２９０８の処理が行われる。尚、デジタルカメラ１ｍによるＳ２９０１乃至Ｓ２９０４の処理と、端末装置２ｍによるＳ２９０５乃至Ｓ２９０８の処理は、どちらが先に行われても良く、また並列に行われても良い。
【０２２７】
まず、デジタルカメラ１ｍにおいて、Ｓ２９０１乃至Ｓ２９０４の処理では、図８のＳ８０１乃至Ｓ８０４と同様の処理が行われる。
続いて、端末装置２ｍにおいて、Ｓ２９０５乃至Ｓ２９０８では、図８のＳ８０７乃至Ｓ８１０と同様の処理が行われる。
【０２２８】
続いて、撮影者による被写体となる者の撮影に係る処理である、デジタルカメラ１ｍによるＳ２９０９乃至Ｓ２９１５の処理、及び端末装置２ｍによるＳ２９１６乃至Ｓ２９２１の処理が行われる。
【０２２９】
まず、デジタルカメラ１ｍにおいて、Ｓ２９０９乃至Ｓ２９１５では、図８のＳ８１１乃至Ｓ８１７の処理と同様の処理が行われる。
続いて、端末装置２ｍにおいて、Ｓ２９１６乃至Ｓ２９２１では、図８のＳ８１８乃至Ｓ８２３の処理と同様の処理が行われる。
【０２３０】
尚、撮影は１回或いは複数回行われても良く、複数回行われた場合には、画像記憶部９に複数の画像データが記憶されることになる。
続いて、撮影が終了すると被写体となった者（端末装置２ｌの使用者）による印刷依頼に係る処理である、画像システム端末３６ｃによるＳ２９２２乃至Ｓ２９２６の処理が行われる。
【０２３１】
画像システム端末３６ｃにおいて、Ｓ２９２２乃至Ｓ２９２６では、図２７のＳ２７０６乃至Ｓ２７１０の処理と同様の処理が行われる。
一方で、印刷会社では、画像印刷システムによるＳ２９２７乃至Ｓ２９３０の処理が行われる。このＳ２９２７乃至Ｓ２９３０では、図２７のＳ２７１１乃至Ｓ２７１４の処理と同様の処理が行われる。これにより、後日、端末装置２ｍの使用者の住所に印刷画像が届くようになる。
【０２３２】
以上の動作により、画像データの送信先となる送信先アドレスをデジタルカメラ１ｍに予め登録しておくことで、その送信先アドレス宛のみに画像データを含む信号が無線送信され、また、拒否カメラアドレスとして端末装置２ｍに信号の受信を拒否したいデジタルカメラのアドレスを予め登録しておくことで、そのデジタルカメラから送信された信号の受信が拒否され、それ以外のデジタルカメラから送信された信号の受信が許可されるようになり、その受信が許可された信号に含まれる画像データだけが画像記憶部９に記憶されるようになる。
【０２３３】
以上、第１４の実施の形態に係る情報システムによれば、デジタルカメラは、特定の端末装置だけに画像データを送信することが可能になり、また、端末装置は、特定のデジタルカメラから送信された画像データを受信しないようにすることが可能になる。よって、当該端末装置宛の信号であって、その特定のデジタルカメラ以外のデジタルカメラから送信された信号に含まれる画像データだけを、印刷対象となり得る画像データにすることができる。
【０２３４】
尚、本実施形態において、端末装置２ｍの構成を、図１７に示した端末装置２ｈにおいて、入力部１０，使用者情報記憶部１１，送信部１２を省くと共に、受信部８の代わりに、当該端末装置のアドレス宛に無線送信された信号のみを受信する受信部２４（図７等参照）を設けた構成とし、受信部２４により受信された信号に含まれるカメラアドレスが、許可カメラアドレス記憶部３１に記憶されている許可カメラアドレスの中に含まれている場合には、その信号の受信を許可し、カメラアドレスが許可カメラアドレスの中に含まれていない場合には、その信号の受信を拒否する構成とすることも可能である。
【０２３５】
次に、本発明の第１５の実施の形態に係る、デジタルカメラと携帯型情報端末装置を含む情報システムについて説明する。本実施形態に係る情報システムは、第１３の実施の形態に係る情報システム（図２６参照）と前述の画像システム（図２１等参照）を組み合わせるようにした構成である。
【０２３６】
図３０は、第１５の実施の形態に係る情報システムに含まれる、デジタルカメラ、端末装置、画像システム端末、及び画像システムの構成例を示したブロック図である。
同図において、デジタルカメラ１ｎ，端末装置２ｎ，画像システム端末３６ｄは、第１３の実施の形態に係るデジタルカメラ１ｌ，端末装置２ｌ，画像システム端末３６ｂの構成（図２６参照）と同じである。但し、画像システム端末３６ｄの送信部５７は、印刷情報設定部５６により設定された印刷情報を画像システム３７ｃ宛に送信する。
【０２３７】
一方、画像システム３７ｃは、第１１の実施の形態に係る画像システム３７（図２１参照）の受信部４５，４７，４９と、画像ＤＢ４６と、顧客ＤＢ４８と、印刷情報設定部５０と、送信部５１の代わりに、画像システム端末３６ｄの送信部５７から送信された印刷情報を含む信号を受信する受信部６１と、受信部６１により受信された信号に含まれる印刷情報から得られた画像データが記憶される画像ＤＢ６２と、受信部６１により受信された信号に含まれる印刷情報から得られた個人情報（氏名と住所に係る情報）が記憶される顧客ＤＢ６３と、受信部６１により受信された信号に含まれる印刷情報（又は画像ＤＢ６２に記憶された画像データ及び顧客ＤＢ６３に記憶された個人情報を含む印刷情報でもある）を含む印刷情報を、印刷会社へ送信する印刷情報として設定する印刷情報設定部６４と、印刷情報設定部６４により設定された印刷情報を含む信号を印刷会社へ送信する送信部６５を備えている点が異なり、その他の構成は同じである。
【０２３８】
続いて、上述したデジタルカメラ１ｎ、端末装置２ｎ、画像システム端末３６ｄ、及び画像システム３７ｃの動作について説明する。
ここでは、その一例として、第１の実施の形態に係る動作の場合と同様にして撮影者がデジタルカメラ１ｎを用いて被写体となる者を撮影（記念撮影）し、その後、画像システム端末３６ｃを介して、撮影により得られた所望の画像データを印刷会社に印刷依頼する場合の動作について説明する。
【０２３９】
図３１は、そのような場合のデジタルカメラ１ｎ、端末装置２ｎ、画像システム端末３６ｄ、及び画像システム３７ｃの動作に係るフローチャートを示した図である。
同図において、Ｓ３１０１乃至Ｓ３１０３の処理はデジタルカメラ１ｎの動作を示し、Ｓ３１０４乃至Ｓ３１０５の処理は端末装置２ｎの動作を示し、Ｓ３１０６乃至Ｓ３１０９の処理は画像システム端末３６ｄの動作を示し、Ｓ３１１０乃至Ｓ３１１２は画像システム３７ｃの動作を示し、Ｓ３１１３乃至Ｓ３１１６の処理は印刷会社の画像印刷システム（不図示）の動作を示している。
【０２４０】
まず、撮影者による被写体となる者の撮影に係る処理である、デジタルカメラ１ｎによるＳ３１０１乃至Ｓ３１０３の処理、及び端末装置２ｎによるＳ３１０４乃至Ｓ３１０５の処理が行われる。
【０２４１】
まず、デジタルカメラ１ｎにおいて、Ｓ３１０１乃至Ｓ３１０３では、図２７のＳ２７０１乃至Ｓ２７０３の処理と同様の処理が行われる。
続いて、端末装置２ｎにおいて、Ｓ３１０４乃至Ｓ３１０５では、図２７のＳ２７０４乃至Ｓ２７０５の処理と同様の処理が行われる。
【０２４２】
尚、撮影は１回或いは複数回行われても良く、複数回行われた場合には、画像記憶部９に複数の画像データが記憶されることになる。
続いて、撮影が終了すると被写体となった者（端末装置２ｎの使用者）による印刷依頼に係る処理である、画像システム端末３６ｄによるＳ３１０６乃至Ｓ３１０９の処理、及び画像システム３７ｃによるＳ３１１０乃至Ｓ３１１２の処理が行われる。
【０２４３】
画像システム端末３６ｄにおいて、Ｓ３１０６乃至Ｓ３１０８では、図２７のＳ２７０６乃至Ｓ２７０８の処理と同様の処理が行われる。Ｓ３１０９では、前ステップで設定された印刷情報を含む信号が画像システム３７ｃ宛に送信される。
【０２４４】
続いて、画像システム３７ｃにおいて、Ｓ３１１０では、受信部６１により画像システム端末３６ｄから送信された信号が受信され、その信号に含まれる印刷情報が取得される。また、その印刷情報から画像データと個人情報が抽出され、画像データが画像ＤＢ６２に記憶され、個人情報が顧客ＤＢ６３に記憶される。Ｓ３１１１では、前ステップで取得された印刷情報が印刷情報設定部６４により印刷会社へ送信する印刷情報として設定され、その印刷情報設定部６４により設定された印刷情報が、送信部６５により印刷会社の画像印刷システム宛に送信される。Ｓ３１１２では、Ｓ３１１０で取得された印刷情報からクレジットカード情報が抽出され、そのクレジットカード情報がその信販会社へ送信される。
【０２４５】
一方で、印刷会社では、画像印刷システムによるＳ３１１３乃至Ｓ３１１６の処理が行われる。このＳ３１１３乃至Ｓ３１１６では、図２７のＳ２７１１乃至Ｓ２７１４の処理と同様の処理が行われる。これにより、後日、端末装置２ｎの使用者の住所に印刷画像が届くようになる。
【０２４６】
以上の動作により、上述のように画像システム端末３６ｄを介して印刷依頼が行われることで、画像システム端末３６ｄから送信さえた信号が、画像システム３７ｃを介して、印刷会社へ送信されるようになり、また、画像システム３７ｃにおいて、その印刷情報から取得された画像データと個人情報が画像ＤＢ６２と顧客ＤＢ６３へそれぞれ記憶されるようになる。
画像システム端末３６ｄから画像システム３７ｃへ印刷情報が送信され、画像システム３７ｃにおいて、その印刷情報から取得された画像データと個人情報が画像ＤＢ６２と顧客ＤＢ６３へそれぞれ記憶されると共に、その印刷情報が印刷会社へ送信されるようになる。
【０２４７】
以上、第１５の実施の形態に係る情報システムによれば、画像システム端末から印刷会社へ直接送信されていた印刷情報を、画像システムを介して送信するようにしたことにより、印刷情報に含まれる個人情報や画像データを収集することが可能になる。
【０２４８】
次に、本発明の第１６の実施の形態に係る、デジタルカメラと携帯型情報端末装置を含む情報システムについて説明する。本実施形態に係る情報システムは、第１４の実施の形態に係る情報システム（図２８参照）と第１５の実施の形態に係る画像システム（図３０参照）を組み合わせるようにした構成である。
【０２４９】
図３２は、第１６の実施の形態に係る情報システムに含まれる、デジタルカメラ、端末装置、画像システム端末、及び画像システムの構成例を示したブロック図である。
同図において、デジタルカメラ１ｏ，端末装置２ｏ，画像システム端末３６ｅは、第１４の実施の形態に係るデジタルカメラ１ｍ，端末装置２ｍ，画像システム端末３６ｃ（図２８参照）の構成と同じである。但し、画像システム端末３６ｅの送信部５７は、印刷情報設定部５６により設定された印刷情報を画像システム３７ｄ宛に送信する。
【０２５０】
一方、画像システム３７ｄは、第１５の実施の形態に係る画像システム３７ｃ（図３０参照）と同じ構成である。
続いて、上述したデジタルカメラ１ｏ、端末装置２ｏ、画像システム端末３６ｅ、及び画像システム３７ｄの動作について説明する。
【０２５１】
ここでは、その一例として、第３の実施の形態に係る動作の場合と同様にして撮影者がデジタルカメラ１ｏを用いて被写体となる者を撮影（記念撮影）し、そして、画像システム端末３６ｅを介して、撮影により得られた所望の画像データを印刷会社に印刷依頼する場合の動作について説明する。
【０２５２】
図３３は、そのような場合のデジタルカメラ１ｏ、端末装置２ｏ、画像システム端末３６ｅ、及び画像システム３７ｄの動作に係るフローチャートを示した図である。
同図において、Ｓ３３０１乃至Ｓ３３０４及びＳ３３０９乃至Ｓ３３１５の処理はデジタルカメラ１ｏの動作を示し、Ｓ３３０５乃至Ｓ３３０８及びＳ３３１６乃至Ｓ３３２１の処理は端末装置２ｏの動作を示し、Ｓ３３２２乃至Ｓ３３２５の処理は画像システム端末３６ｅの動作を示し、Ｓ３３２６乃至Ｓ３３２８は画像システム３７ｄの動作を示し、Ｓ３３２９乃至Ｓ３３３２の処理は印刷会社の画像印刷システム（不図示）の動作を示している。
【０２５３】
まず、デジタルカメラ１ｏへの送信先アドレスの入力に係る処理である、デジタルカメラ１ｏによるＳ３３０１乃至Ｓ３３０４の処理、及び端末装置２ｏへの拒否カメラアドレスの入力に係る処理である、端末装置２ｏによるＳ３３０５乃至Ｓ３３０８の処理が行われる。尚、デジタルカメラ１ｏによるＳ３３０１乃至Ｓ３３０４の処理と、端末装置２ｏによるＳ３３０５乃至Ｓ３３０８の処理は、どちらが先に行われても良く、また並列に行われても良い。
【０２５４】
まず、デジタルカメラ１ｏにおいて、Ｓ３３０１乃至Ｓ３３０４の処理では、図２９のＳ２９０１乃至Ｓ２９０４と同様の処理が行われる。
続いて、端末装置２ｏにおいて、Ｓ３３０５乃至Ｓ３３０８では、図２９のＳ２９０５乃至Ｓ２９０８と同様の処理が行われる。
【０２５５】
続いて、撮影者による被写体となる者の撮影に係る処理である、デジタルカメラ１ｏによるＳ３３０９乃至Ｓ３３１５の処理、及び端末装置２ｏによるＳ３３１６乃至Ｓ３３２１の処理が行われる。
【０２５６】
まず、デジタルカメラ１ｏにおいて、Ｓ３３０９乃至Ｓ３３１５では、図２９のＳ２９０９乃至Ｓ２９１５の処理と同様の処理が行われる。
続いて、端末装置２ｏにおいて、Ｓ３３１６乃至Ｓ３３２１では、図２９のＳ２９１６乃至Ｓ２９２１の処理と同様の処理が行われる。
【０２５７】
尚、撮影は１回或いは複数回行われても良く、複数回行われた場合には、画像記憶部９に複数の画像データが記憶されることになる。
続いて、撮影が終了すると被写体となった者（端末装置２ｏの使用者）による印刷依頼に係る処理である、画像システム端末３６ｅによるＳ３３２２乃至Ｓ３３２５の処理と、画像システム３７ｄによるＳ３３２６乃至Ｓ３３２８の処理が行われる。
【０２５８】
画像システム端末３６ｅにおいて、Ｓ３３２２乃至Ｓ３３２５では、図３１のＳ３１０６乃至Ｓ３１０９の処理と同様の処理が行われる。
続いて、画像システム３７ｄにおいて、Ｓ３３２６乃至Ｓ３３２８では、図３１のＳ３１１０乃至Ｓ３１１２の処理と同様の処理が行われる。
【０２５９】
一方で、印刷会社では、画像印刷システムによるＳ３３２９乃至Ｓ３３３２の処理が行われる。このＳ３３２９乃至Ｓ３３３２では、図３１のＳ３１１３乃至Ｓ３１１６の処理と同様の処理が行われる。これにより、後日、端末装置２ｏの使用者の住所に印刷画像が届くようになる。
【０２６０】
以上の動作により、画像データの送信先となる送信先アドレスをデジタルカメラ１ｏに予め登録しておくことで、その送信先アドレス宛のみに画像データを含む信号が無線送信され、また、拒否カメラアドレスとして端末装置２ｏに信号の受信を拒否したいデジタルカメラのアドレスを予め登録しておくことで、そのデジタルカメラから送信された信号の受信が拒否され、それ以外のデジタルカメラから送信された信号の受信が許可されるようになり、その受信が許可された信号に含まれる画像データだけが画像記憶部９に記憶されるようになる。
【０２６１】
以上、第１６の実施の形態に係る情報システムによれば、デジタルカメラは、特定の端末装置だけに画像データを送信することが可能になり、また、端末装置は、特定のデジタルカメラから送信された画像データを受信しないようにすることが可能になる。よって、当該端末装置宛の信号であって、その特定のデジタルカメラ以外のデジタルカメラから送信された信号に含まれる画像データだけを、印刷対象となり得る画像データにすることができる。
【０２６２】
以上、本発明の情報端末装置、情報システム、情報転送方法、及び情報転送プログラムついて詳細に説明したが、本発明は上記実施形態に限定されず、本発明の要旨を逸脱しない範囲において、各種の改良及び変更を行っても良いのはもちろんである。
【図面の簡単な説明】
【０２６３】
【図１】第１の実施の形態に係る情報システムに含まれる、デジタルカメラと携帯型情報端末装置の構成例を示したブロック図である。
【図２】第１の実施の形態に係るデジタルカメラと携帯型情報端末装置の動作に係るフローチャートを示した図である。
【図３】第２の実施の形態に係る情報システムに含まれる、デジタルカメラと携帯型情報端末装置の構成例を示したブロック部である。
【図４】第２の実施の形態に係るデジタルカメラと携帯型情報端末装置の動作に係るフローチャートを示した図である。
【図５】第３の実施の形態に係る情報システムに含まれる、デジタルカメラと携帯型情報端末装置の構成例を示したブロック部である。
【図６】第３の実施の形態に係るデジタルカメラと携帯型情報端末装置の動作に係るフローチャートを示した図である。
【図７】第４の実施の形態に係る情報システムに含まれる、デジタルカメラと携帯型情報端末装置の構成例を示したブロック部である。
【図８】第４の実施の形態に係るデジタルカメラと携帯型情報端末装置の動作に係るフローチャートを示した図である。
【図９】第５の実施の形態に係る情報システムに含まれる、デジタルカメラと携帯型情報端末装置の構成例を示したブロック部である。
【図１０】第５の実施の形態に係るデジタルカメラと携帯型情報端末装置の動作に係るフローチャートを示した図である。
【図１１】第６の実施の形態に係る情報システムに含まれる、デジタルカメラと携帯型情報端末装置の構成例を示したブロック部である。
【図１２】第６の実施の形態に係るデジタルカメラと携帯型情報端末装置の動作に係るフローチャートを示した図である。
【図１３】第７の実施の形態に係る情報システムに含まれる、デジタルカメラと携帯型情報端末装置の構成例を示したブロック部である。
【図１４】第７の実施の形態に係るデジタルカメラと携帯型情報端末装置の動作に係るフローチャートを示した図である。
【図１５】第８の実施の形態に係る情報システムに含まれる、デジタルカメラと携帯型情報端末装置の構成例を示したブロック部である。
【図１６】第８の実施の形態に係るデジタルカメラと携帯型情報端末装置の動作に係るフローチャートを示した図である。
【図１７】第９の実施の形態に係る情報システムに含まれる、デジタルカメラと携帯型情報端末装置の構成例を示したブロック部である。
【図１８】第９の実施の形態に係るデジタルカメラと携帯型情報端末装置の動作に係るフローチャートを示した図である。
【図１９】第１０の実施の形態に係る情報システムに含まれる、デジタルカメラと携帯型情報端末装置の構成例を示したブロック部である。
【図２０】第１０の実施の形態に係るデジタルカメラと携帯型情報端末装置の動作に係るフローチャートを示した図である。
【図２１】第１１の実施の形態に係る情報システムに含まれる、デジタルカメラ、携帯型情報端末装置、画像システム端末装置、及び画像システムの構成例を示したブロック部である。
【図２２】第１１の実施の形態に係る、デジタルカメラ、携帯型情報端末装置、画像システム端末装置、及び画像システムの動作に係るフローチャートを示した図である。
【図２３】第１２の実施の形態に係る情報システムに含まれる、デジタルカメラ、携帯型情報端末装置、画像システム端末装置、及び画像システムの構成例を示したブロック図である。
【図２４】第１２の実施の形態に係る、デジタルカメラ、携帯型情報端末装置、画像システム端末装置、及び画像システムの動作に係るフローチャートを示した図である。
【図２５】第１２の実施の形態に係る、デジタルカメラ、携帯型情報端末装置、画像システム端末装置、及び画像システムの動作に係るフローチャートを示した図である。
【図２６】第１３の実施の形態に係る情報システムに含まれる、デジタルカメラ、携帯型情報端末装置、及び画像システム端末装置の構成例を示したブロック図である。
【図２７】第１３の実施の形態に係る、デジタルカメラ、携帯型情報端末装置、及び画像システム端末装置の動作に係るフローチャートを示した図である。
【図２８】第１４の実施の形態に係る情報システムに含まれる、デジタルカメラ、携帯型情報端末装置、及び画像システム端末装置の構成例を示したブロック図である。
【図２９】第１４の実施の形態に係る、デジタルカメラ、携帯型情報端末装置、及び画像システム端末装置の動作に係るフローチャートを示した図である。
【図３０】第１５の実施の形態に係る情報システムに含まれる、デジタルカメラ、携帯型情報端末装置、画像システム端末装置、及び画像システムの構成例を示したブロック図である。
【図３１】第１５の実施の形態に係る、デジタルカメラ、携帯型情報端末装置、画像システム端末装置、及び画像システムの動作に係るフローチャートを示した図である。
【図３２】第１６の実施の形態に係る情報システムに含まれる、デジタルカメラ、携帯型情報端末装置、画像システム端末装置、及び画像システムの構成例を示したブロック図である。
【図３３】第１６の実施の形態に係る、デジタルカメラ、携帯型情報端末装置、画像システム端末装置、及び画像システムの動作に係るフローチャートを示した図である。
【符号の説明】
【０２６４】
１      デジタルカメラ
２      携帯型情報端末装置
３      撮像部
４      画像記憶部
５      送信部
６      プログラムメモリ
７      コントローラ
８      受信部
９      画像記憶部
１０    入力部
１１    使用者情報記憶部
１２    送信部
１３    プログラムメモリ
１４    コントローラ
１６    カメラアドレス記憶部
１７    入力部
１８    拒否カメラアドレス記憶部
２１    入力部
２２    送信先アドレス記憶部
２３    送信部
２４    受信部
２６    印刷情報設定部
３１    許可カメラアドレス記憶部
３６    画像システム端末装置
３７    画像システム
３８    個人情報設定部
３９    送信部
４０    画像参照部
４１    印刷情報設定部
４２    送信部
４３    プログラムメモリ
４４    コントローラ
４５    受信部
４６    画像ＤＢ
４７    受信部
４８    顧客ＤＢ
４９    受信部
５０    印刷情報設定部
５１    送信部
５２    コントローラ
５３    プログラムメモリ
５６    印刷情報設定部
５７    送信部
６１    受信部
６２    画像ＤＢ
６３    顧客ＤＢ
６４    印刷情報設定部
【図１】
2006101355.tif 000003
【図２】
2006101355.tif 000004
【図３】
2006101355.tif 000005
【図４】
2006101355.tif 000006
【図５】
2006101355.tif 000007
【図６】
2006101355.tif 000008
【図７】
2006101355.tif 000009
【図８】
2006101355.tif 000010
【図９】
2006101355.tif 000011
【図１０】
2006101355.tif 000012
【図１１】
2006101355.tif 000013
【図１２】
2006101355.tif 000014
【図１３】
2006101355.tif 000015
【図１４】
2006101355.tif 000016
【図１５】
2006101355.tif 000017
【図１６】
2006101355.tif 000018
【図１７】
2006101355.tif 000019
【図１８】
2006101355.tif 000020
【図１９】
2006101355.tif 000021
【図２０】
2006101355.tif 000022
【図２１】
2006101355.tif 000023
【図２２】
2006101355.tif 000024
【図２３】
2006101355.tif 000025
【図２４】
2006101355.tif 000026
【図２５】
2006101355.tif 000027
【図２６】
2006101355.tif 000028
【図２７】
2006101355.tif 000029
【図２８】
2006101355.tif 000030
【図２９】
2006101355.tif 000031
【図３０】
2006101355.tif 000032
【図３１】
2006101355.tif 000033
【図３２】
2006101355.tif 000034
【図３３】
2006101355.tif 000035